(57)【要約】【課題】特定金種の正券及び損券の結束紙幣を収集する際のオペレータ側の作業負担を軽減する。【解決手段】投入紙幣を一枚ずつ繰り込んで、その紙幣を搬送する紙幣搬送部１３と、搬送紙幣の金種を識別し、この搬送紙幣の正券及び損券の正損カテゴリで識別する紙幣識別部１４と、識別結果に基づき、紙幣を取出可能に集積するスタッカ１６と、紙幣を結束用に集積する複数の結束用集積部２１、結束用集積部２１に集積された紙幣を１００枚単位で結束して結束紙幣を作成する結束部２２及び、作成された結束紙幣を装置外部に投出する束放出口２３を有する複数の結束ユニット３Ａ（３Ｂ）と、複数の特定金種の正券及び損券を識別し、特定金種の正券の紙幣を当該特定金種の正券に対応した結束用集積部２１に集積すると共に、特定金種の損券の紙幣を当該特定金種の損券に対応した結束用集積部２１に集積すべく、紙幣搬送部１３を制御する搬送制御部１７２とを有する。【選択図】図４
2011113152.tif 000002
【特許請求の範囲】
【請求項１】
投入紙幣を一枚ずつ繰り込んで、その紙幣を搬送する搬送部と、
前記搬送部によって繰り込まれた紙幣の金種を識別し、この識別した紙幣の汚損度合を正券又は損券の２種類の正損カテゴリで識別する識別部と、
前記識別部によって識別された紙幣を結束用に集積する複数の結束用集積部、この結束用集積部に集積された紙幣を所定枚数単位で結束して結束紙幣を作成する結束部及び、この結束部によって作成された結束紙幣を装置外部に投出する束投出部を有する複数の結束ユニットと、
前記識別部を通じて、複数の特定金種の正券及び損券を識別し、前記特定金種の正券の紙幣を当該特定金種の正券に対応した前記結束用集積部に集積すると共に、前記特定金種の損券の紙幣を当該特定金種の損券に対応した前記結束用集積部に集積すべく、前記搬送部を制御する制御部と
を有することを特徴とする紙幣処理装置。
【請求項２】
前記制御部は、
前記特定金種の正券の紙幣及び損券の紙幣を区別可能に結束すべく、前記結束部を制御することを特徴とする請求項１記載の紙幣処理装置。
【請求項３】
前記制御部は、
当該特定金種の正券の紙幣を前記複数の結束ユニットの内の一つの結束ユニット内の結束用集積部に集積すると共に、当該特定金種の損券の紙幣を前記複数の結束ユニットの内、他の結束ユニット内の結束用集積部に集積すべく、前記搬送部を制御することを特徴とする請求項１又は２記載の紙幣処理装置。
【請求項４】
前記各結束ユニットは、
前記複数の結束用集積部をそれぞれ３個備え、
前記制御部は、
前記３個の結束用集積部の内、最初に２個の結束用集積部に２種類の特定金種の２金種の紙幣を集積すると共に、何れかの結束用集積部の集積枚数が所定枚数に達する毎に当該結束用集積部に集積された特定金種紙幣の集積先を空きの結束用集積部に順次切り換えるべく、前記搬送部を制御することを特徴とする請求項３記載の紙幣処理装置。
【請求項５】
前記制御部は、
前記正損カテゴリ毎に結束帯の結束位置を変更し、当該特定金種の正券の紙幣及び損券の紙幣を区別可能に結束すべく、前記結束部を制御することを特徴とする請求項１〜４の何れか一つに記載の紙幣処理装置。
【請求項６】
前記制御部は、
前記正損カテゴリ毎に結束帯の印字内容を変更し、当該特定金種の正券の紙幣及び損券の紙幣を区別可能に結束すべく、前記結束部を制御することを特徴とする請求項１〜４の何れか一つに記載の紙幣処理装置。
【請求項７】
前記制御部は、
前記特定金種の内の１つの金種の正券の紙幣を前記複数の結束ユニットの内の１つの結束ユニット内の結束用集積部に集積すると共に、当該特定金種の損券の紙幣を同一結束ユニット内の結束用集積部に集積すべく、前記搬送部を制御することを特徴とする請求項１又は２記載の紙幣処理装置。
【請求項８】
前記各結束ユニットは、
前記複数の結束用集積部をそれぞれ３個備え、
前記制御部は、
前記３個の結束用集積部の内、最初に２個の結束用集積部に１種類の特定金種の正券の紙幣と損券の紙幣をそれぞれ集積すると共に、何れかの結束用集積部の集積枚数が所定枚数に達する毎に当該結束用集積部に集積された種類の紙幣の集積先を空きの結束用集積部に順次切り換えるべく、前記搬送部を制御することを特徴とする請求項７記載の紙幣処理装置。
【請求項９】
前記制御部は、
異なる特定金種毎に結束帯の色を変更し、特定金種毎の結束紙幣を区別可能にすべく、前記結束部を制御することを特徴とする請求項７又は８記載の紙幣処理装置。
【請求項１０】
投入紙幣を一枚ずつ繰り込んで、その紙幣を搬送する搬送部と、前記搬送部によって繰り込まれた紙幣の金種を識別し、この識別した紙幣の汚損度合を正券又は損券の２種類の正損カテゴリで識別する識別部と、前記識別部によって識別された紙幣を結束用に集積する複数の結束用集積部、この結束用集積部に集積された紙幣を所定枚数単位で結束して結束紙幣を作成する結束部及び、この結束部によって作成された結束紙幣を装置外部に投出する束投出部を有する複数の結束ユニットとを有する紙幣処理装置の紙幣分類方法であって、
前記識別部を通じて、複数の特定金種の正券又は損券を識別する識別ステップと、
前記識別ステップの紙幣の識別結果に基づき、前記特定金種の正券の紙幣を当該特定金種の正券に対応した前記結束用集積部に集積すると共に、前記特定金種の損券の紙幣を当該特定金種の損券に対応した前記結束用集積部に集積すべく、前記搬送部を制御する搬送制御ステップと
を含むことを特徴とする紙幣分類方法。
【請求項１１】
投入紙幣を一枚ずつ繰り込んで、その紙幣を搬送する搬送部と、前記搬送部によって繰り込まれた紙幣の金種を識別し、この識別した紙幣の汚損度合を正券又は損券の２種類の正損カテゴリで識別する識別部と、前記識別部によって識別された紙幣を結束用に集積する複数の結束用集積部、この結束用集積部に集積された紙幣を所定枚数単位で結束して結束紙幣を作成する結束部及び、この結束部によって作成された結束紙幣を装置外部に投出する束投出部を有する複数の結束ユニットとを有する紙幣処理装置の紙幣分類プログラムであって、
前記識別部を通じて、複数の特定金種の正券又は損券を識別する識別手順と、
前記識別手順の紙幣の識別結果に基づき、前記特定金種の正券の紙幣を当該特定金種の正券に対応した前記結束用集積部に集積すると共に、前記特定金種の損券の紙幣を当該特定金種の損券に対応した前記結束用集積部に集積すべく、前記搬送部を制御する搬送制御手順と
を含むプログラムを前記紙幣処理装置に実行させることを特徴とする紙幣分類プログラム。
【発明の詳細な説明】
【技術分野】
【０００１】
本発明は、紙幣の汚損度合に応じて紙幣を分類する機能を備えた紙幣処理装置、紙幣分類方法及び紙幣分類プログラムに関する。
【背景技術】
【０００２】
従来、紙幣処理装置では、識別部、結束用集積部及び結束部を有する装置が知られている（例えば、特許文献１及び２参照）。識別部は、装置内に投入された投入紙幣の金種又は正損種別を識別する。更に、結束用集積部は、所定金種又は正損種別毎に投入紙幣を一時的に集積する。更に、結束部は、所定金種又は正損種別毎の結束用集積部に集積された紙幣を所定枚数単位に結束帯で結束して結束紙幣を作成する。この紙幣処理装置では、所定金種又は正損種別毎の結束紙幣を作成できる。
【０００３】
更に、従来の紙幣処理装置では、正券の結束紙幣及び損券の結束紙幣を作成する際に、結束位置を変えて正券の結束紙幣及び損券の結束紙幣を作成する装置が知られている（例えば、特許文献３参照）。この紙幣処理装置側のオペレータは、結束位置に基づき、正券の結束紙幣及び損券の結束紙幣を区別できる。
【０００４】
更に、従来の紙幣処理装置では、正券の結束紙幣及び損券の結束紙幣を作成する際に、結束紙幣の結束帯に正損レベルを印字する装置が知られている（例えば、特許文献４参照）。この紙幣処理装置側のオペレータは、結束帯の印字内容に基づき、正券の結束紙幣及び損券の結束紙幣を区別できる。
【０００５】
更に、従来の紙幣処理装置では、紙幣の正損レベルを上中下の３段階に設定し、３段階の正損レベル毎に集積部を備え、投入紙幣の正損レベルを識別し、正損レベルに応じて紙幣を該当集積部に集積する装置が知られている（例えば、特許文献５参照）。この紙幣処理装置では、上中下の３段階の正損レベルで投入紙幣を分類できる。
【０００６】
更に、従来の紙幣処理装置では、紙幣の破損状況や汚損種類毎に集積部を備え、投入紙幣の破損状況や汚損種類を識別し、これら破損状況や汚損種類に応じて当該紙幣を該当集積部に分類集積する装置が知られている（例えば、特許文献６参照）。この紙幣処理装置では、紙幣の破損状況や汚損種類に応じて投入紙幣を分類できる。
【先行技術文献】
【特許文献】
【０００７】
【特許文献１】特開２００２−１９７５０９号公報（要約書及び図１参照）
【特許文献２】特開２００６−１０７０６１号公報（要約書、請求項２及び図１参照）
【特許文献３】特許第２８８６５５４号公報（請求項１参照）
【特許文献４】特開平５−２２９５１８号公報（要約書参照）
【特許文献５】特開平６−９６３２５号公報（要約書及び図１参照）
【特許文献６】特開２００６−３５０８１８号公報（要約書、請求項２及び３参照）
【発明の概要】
【発明が解決しようとする課題】
【０００８】
近年、例えば、銀行では、同一金種で正券及び損券の正損カテゴリ毎に結束紙幣を収集したいとの要望がある。例えば、ユーロ紙幣の場合、１０ユーロ紙幣、２０ユーロ紙幣及び５０ユーロ紙幣がユーロ紙幣流通市場の約９割に及び、これらユーロ紙幣の紙幣処理業務が大半を占めている。更に、欧州中央銀行では、所定規格に応じて損券の紙幣を結束紙幣で回収する取り組みがある。従って、各銀行等では、流通量の多い、特に２０ユーロ紙幣や５０ユーロ紙幣を正券及び損券に夫々分類し、再利用のために正券の結束紙幣で収集すること、更に、欧州中央銀行に返却するために損券の結束紙幣で収集することが望まれている。
【０００９】
上記従来の紙幣処理装置では、金種混合状態から、流通量の多い、例えば、２０ユーロ紙幣の正券の結束紙幣、２０ユーロ紙幣の損券の結束紙幣、５０ユーロ紙幣の正券の結束紙幣及び５０ユーロ紙幣の損券の結束紙幣を収集する際には、少なくとも４個の結束用集積部及び１個の結束部を備える必要がある。しかしながら、上記従来の紙幣処理装置では、４個の結束用集積部に対して１個の結束部であるため、結束部の処理負担も大きく、結束紙幣作成の作業速度が落ちる。このため紙幣処理装置では、特定金種の正券及び損券の結束紙幣を収集する際のオペレータ側の作業負担は大きい。
【００１０】
本発明は上記点に鑑みてなされたものであり、その目的とするところは、特定金種の正券及び損券の結束紙幣を収集する際のオペレータ側の作業負担を大幅に軽減できる紙幣処理装置、紙幣分類方法及び紙幣分類プログラムを提供することにある。
【課題を解決するための手段】
【００１１】
上記目的を達成するために本発明の紙幣処理装置は、投入紙幣を一枚ずつ繰り込んで、その紙幣を搬送する搬送部と、前記搬送部によって繰り込まれた紙幣の金種を識別し、この識別した紙幣の汚損度合を正券又は損券の２種類の正損カテゴリで識別する識別部と、前記識別部によって識別された紙幣を結束用に集積する複数の結束用集積部、この結束用集積部に集積された紙幣を所定枚数単位で結束して結束紙幣を作成する結束部及び、この結束部によって作成された結束紙幣を装置外部に投出する束投出部を有する複数の結束ユニットと、前記識別部を通じて、複数の特定金種の正券及び損券を識別し、前記特定金種の正券の紙幣を当該特定金種の正券に対応した前記結束用集積部に集積すると共に、前記特定金種の損券の紙幣を当該特定金種の損券に対応した前記結束用集積部に集積すべく、前記搬送部を制御する制御部とを有するようにした。
【００１２】
また、本発明の紙幣処理装置は、上記発明の構成において、前記制御部は、前記特定金種の正券の紙幣及び損券の紙幣を区別可能に結束すべく、前記結束部を制御するようにした。
【００１３】
また、本発明の紙幣処理装置は、上記発明の構成において、前記制御部は、当該特定金種の正券の紙幣を前記複数の結束ユニットの内の一つの結束ユニット内の結束用集積部に集積すると共に、当該特定金種の損券の紙幣を前記複数の結束ユニットの内、他の結束ユニット内の結束用集積部に集積すべく、前記搬送部を制御するようにした。
【００１４】
また、本発明の紙幣処理装置は、上記発明の構成において、前記各結束ユニットは、前記複数の結束用集積部をそれぞれ３個備え、前記制御部は、前記３個の結束用集積部の内、最初に２個の結束用集積部に２種類の特定金種の２金種の紙幣を集積すると共に、何れかの結束用集積部の集積枚数が所定枚数に達する毎に当該結束用集積部に集積された特定金種紙幣の集積先を空きの結束用集積部に順次切り換えるべく、前記搬送部を制御するようにした。
【００１５】
また、本発明の紙幣処理装置は、上記発明の構成において、前記制御部は、前記正損カテゴリ毎に結束帯の結束位置を変更し、当該特定金種の正券の紙幣及び損券の紙幣を区別可能に結束すべく、前記結束部を制御するようにした。
【００１６】
また、本発明の紙幣処理装置は、上記発明の構成において、前記制御部は、前記正損カテゴリ毎に結束帯の印字内容を変更し、当該特定金種の正券の紙幣及び損券の紙幣を区別可能に結束すべく、前記結束部を制御するようにした。
【００１７】
また、本発明の紙幣処理装置は、上記発明の構成において、前記制御部は、前記特定金種の内の１つの金種の正券の紙幣を前記複数の結束ユニットの内の１つの結束ユニット内の結束用集積部に集積すると共に、当該特定金種の損券の紙幣を同一結束ユニット内の結束用集積部に集積すべく、前記搬送部を制御するようにした。
【００１８】
また、本発明の紙幣処理装置は、上記発明の構成において、前記各結束ユニットは、前記複数の結束用集積部をそれぞれ３個備え、前記制御部は、前記３個の結束用集積部の内、最初に２個の結束用集積部に１種類の特定金種の正券の紙幣と損券の紙幣をそれぞれ集積すると共に、何れかの結束用集積部の集積枚数が所定枚数に達する毎に当該結束用集積部に集積された種類の紙幣の集積先を空きの結束用集積部に順次切り換えるべく、前記搬送部を制御するようにした。
【００１９】
また、本発明の紙幣処理装置は、上記発明の構成において、前記制御部は、異なる特定金種毎に結束帯の色を変更し、特定金種毎の結束紙幣を区別可能にすべく、前記結束部を制御するようにした。
【００２０】
また、上記目的を達成するために本発明の紙幣分類方法は、投入紙幣を一枚ずつ繰り込んで、その紙幣を搬送する搬送部と、前記搬送部によって繰り込まれた紙幣の金種を識別し、この識別した紙幣の汚損度合を正券又は損券の２種類の正損カテゴリで識別する識別部と、前記識別部によって識別された紙幣を結束用に集積する複数の結束用集積部、この結束用集積部に集積された紙幣を所定枚数単位で結束して結束紙幣を作成する結束部及び、この結束部によって作成された結束紙幣を装置外部に投出する束投出部を有する複数の結束ユニットとを有する紙幣処理装置の紙幣分類方法であって、前記識別部を通じて、複数の特定金種の正券又は損券を識別する識別ステップと、前記識別ステップの紙幣の識別結果に基づき、前記特定金種の正券の紙幣を当該特定金種の正券に対応した前記結束用集積部に集積すると共に、前記特定金種の損券の紙幣を当該特定金種の損券に対応した前記結束用集積部に集積すべく、前記搬送部を制御する搬送制御ステップとを含むようにした。
【００２１】
また、上記目的を達成するために本発明の紙幣分類プログラムは、投入紙幣を一枚ずつ繰り込んで、その紙幣を搬送する搬送部と、前記搬送部によって繰り込まれた紙幣の金種を識別し、この識別した紙幣の汚損度合を正券又は損券の２種類の正損カテゴリで識別する識別部と、前記識別部によって識別された紙幣を結束用に集積する複数の結束用集積部、この結束用集積部に集積された紙幣を所定枚数単位で結束して結束紙幣を作成する結束部及び、この結束部によって作成された結束紙幣を装置外部に投出する束投出部を有する複数の結束ユニットとを有する紙幣処理装置の紙幣分類プログラムであって、前記識別部を通じて、複数の特定金種の正券又は損券を識別する識別手順と、前記特定金種の正券の紙幣を当該特定金種の正券に対応した前記結束用集積部に集積すると共に、前記特定金種の損券の紙幣を当該特定金種の損券に対応した前記結束用集積部に集積すべく、前記搬送部を制御する搬送制御手順とを含むプログラムを前記紙幣処理装置に実行させるようにした。
【発明の効果】
【００２２】
上記のように構成された本発明の紙幣処理装置では、複数の特定金種の正券の紙幣を当該特定金種の正券に対応した結束用集積部に集積すると共に、複数の特定金種の損券の紙幣を当該特定金種の損券に対応した結束用集積部に集積する。その結果、オペレータは、複数の特定金種の正券の結束紙幣及び損券の結束紙幣を収集する際の作業負担を大幅に軽減できるという効果を奏する。
【００２３】
更に、本発明の紙幣処理装置では、上記発明の効果に加えて、特定金種の正券の紙幣及び損券の紙幣を区別可能に結束する。その結果、オペレータは、特定金種の正券の結束紙幣及び損券の結束紙幣を区別できるという効果を奏する。
【００２４】
また、本発明の紙幣処理装置では、上記発明の効果に加えて、特定金種の正券の紙幣を複数の結束ユニットの内の１つの結束ユニット内の結束用集積部に集積すると共に、特定金種の損券の紙幣を他の結束ユニット内の結束用集積部に集積する。その結果、オペレータは、異なる結束ユニットから特定金種の正券の結束紙幣及び損券の結束紙幣を収集することになるため、特定金種の正券の結束紙幣及び損券の結束紙幣を区別できるという効果を奏する。
【００２５】
また、本発明の紙幣処理装置では、上記発明の効果に加えて、結束ユニット内部に３個の結束用集積部を備え、３個の結束用集積部の内、最初に２個の結束用集積部に２種類の特定金種の２金種の紙幣を集積する。その結果、本発明の紙幣処理装置では、１個の結束ユニットで１種類の特定金種の正券及び損券の結束紙幣、２種類の特定金種の正券又は損券の結束紙幣、２種類の特定金種の正券及び損券の結束紙幣等の各種バリエーションで特定金種の正券及び損券の結束紙幣を収集できるという効果を奏する。更に、本発明の紙幣処理装置では、何れかの結束用集積部の集積枚数が所定枚数に達する毎に当該結束用集積部に集積された特定金種の集積先を空きの結束用集積部に順次切り換える。その結果、本発明の紙幣処理装置では、集積動作を停止することなく、特定金種を集積できるという効果を奏する。
【００２６】
また、本発明の紙幣処理装置では、上記発明の効果に加えて、正損カテゴリ毎に結束帯の結束位置を変更し、特定金種の正券の紙幣及び損券の紙幣を区別可能に結束する。その結果、オペレータは、結束帯の結束位置で、特定金種の正券の結束紙幣及び損券の結束紙幣を区別できるという効果を奏する。
【００２７】
また、本発明の紙幣処理装置では、上記発明の効果に加えて、正損カテゴリ毎に結束帯の印字内容を変更し、特定金種の正券の紙幣及び損券の紙幣を区別可能に結束する。その結果、オペレータは、結束帯の印字内容で、特定金種の正券の結束紙幣及び損券の結束紙幣を区別できるという効果を奏する。
【００２８】
また、本発明の紙幣処理装置では、上記発明の効果に加えて、特定金種の内の１つの金種の正券の紙幣を複数の結束ユニットの内の１つの結束ユニット内の結束用集積部に集積すると共に、特定金種の損券の紙幣を同一結束ユニット内の結束用集積部に集積する。その結果、本発明の紙幣処理装置では、同一結束ユニット内の結束用集積部に同一特定金種の正券の結束紙幣及び損券の結束紙幣を収集できるという効果を奏する。
【００２９】
また、本発明の紙幣処理装置では、上記発明の効果に加えて、結束ユニットが複数の結束用集積部を３個備え、３個の結束用集積部の内、最初に２個の結束用集積部に１種類の特定金種の正券の紙幣と損券の紙幣とを集積する。その結果、本発明の紙幣処理装置では、１種類の特定金種の正券及び損券の結束紙幣を連続的に収集できるという効果を奏する。更に、本発明の紙幣処理装置では、更に、本発明の紙幣処理装置では、何れかの結束用集積部の集積枚数が所定枚数に達する毎に当該結束用集積部に集積された種類の紙幣の集積先を空きの結束用集積部に順次切り換える。その結果、本発明の紙幣処理装置では、集積動作を停止することなく、１種類の特定金種の正券及び損券をそれぞれ集積できるという効果を奏する。
【００３０】
また、本発明の紙幣処理装置では、上記発明の効果に加えて、異なる特定金種毎に結束帯の色を変更し、特定金種毎の結束紙幣を区別可能に結束する。その結果、オペレータは、米国ドル紙幣の仕様のような場合にも十分に対応できるという効果を奏する。
【００３１】
また、上記のように構成された本発明の紙幣分類方法では、複数の特定金種の正券の紙幣を当該特定金種の正券に対応した結束用集積部に集積すると共に、複数の特定金種の損券の紙幣を当該特定金種の損券に対応した結束用集積部に集積する。その結果、オペレータは、複数の特定金種の正券の結束紙幣及び損券の結束紙幣を収集する際の作業負担を大幅に軽減できるという効果を奏する。
【００３２】
また、上記のように構成された本発明の紙幣分類プログラムでは、複数の特定金種の正券の紙幣を当該特定金種の正券に対応した結束用集積部に集積すると共に、複数の特定金種の損券の紙幣を当該特定金種の損券に対応した結束用集積部に集積する。その結果、オペレータは、複数の特定金種の正券の結束紙幣及び損券の結束紙幣を収集する際の作業負担を大幅に軽減できるという効果を奏する。
【図面の簡単な説明】
【００３３】
【図１】図１は、実施例１の紙幣処理装置の外観構成を示す斜視図である。
【図２】図２は、実施例１の紙幣処理装置の内部構成を示す説明図である。
【図３】図３は、結束用集積部の内部構成を示す平面図である。
【図４】図４は、紙幣処理装置の内部構成を示すブロック図である。
【図５】図５は、第１結束ユニット及び第２結束ユニットの集積種別及び結束内容の一例を示す説明図である。
【図６】図６は、結束用集積部の動作遷移を示す説明図である。
【図７】図７は、結束前搬送部の動作遷移を示す説明図である。
【図８】図８は、把持搬送部の動作遷移を示す説明図である。
【図９】図９は、結束ステージ上の把持搬送部の動作遷移を端的に示す説明図である。
【図１０】図１０は、放出搬送部の動作遷移を示す説明図である。
【図１１】図１１は、実施例１の第１特定金種分類処理に関わる制御部の処理動作を示すフローチャートである。
【図１２】図１２は、実施例１の第１結束用集積処理に関わる制御部の処理動作を示すフローチャートである。
【図１３】図１３は、実施例２の第２特定金種分類処理に関わる制御部の処理動作を示すフローチャートである。
【図１４】図１４は、実施例２の第２結束用集積処理に関わる制御部の処理動作を示すフローチャートである。
【発明を実施するための形態】
【００３４】
以下、図面に基づき本発明の紙幣処理装置、紙幣分類方法及び紙幣分類プログラムに関わる紙幣処理装置の実施例について詳細に説明する。
【００３５】
まず、最初に本実施例の概要を説明するとすれば、その紙幣処理装置は、搬送部、識別部、複数の結束ユニット及び制御部を有する。搬送部は、投入紙幣を一枚ずつ繰り込んで、その紙幣を搬送する。識別部は、搬送部によって繰り込まれた紙幣の金種を識別し、この識別した紙幣の汚損度合を正券又は損券の２種類の正損カテゴリで識別する。
【００３６】
結束ユニットは、結束用集積部、結束部及び束投出部を有する。結束用集積部は、識別部によって識別された紙幣を結束用に集積する。結束部は、結束用集積部に集積された所定枚数の紙幣を結束して結束紙幣を作成する。束投出部は、結束部によって作成された結束紙幣を装置外部に投出する。
【００３７】
更に、制御部は、識別部を通じて、複数の特定金種の正券及び損券を識別する。更に、制御部は、特定金種の正券の紙幣を当該特定金種の正券に対応した結束用集積部に集積すると共に、特定金種の損券の紙幣を当該特定金種の損券に対応した結束用集積部に集積すべく、搬送部を制御する。
【００３８】
紙幣処理装置では、特定金種の正券に対応する結束用集積部に当該特定金種の正券の紙幣を集積して、特定金種の正券の結束紙幣を投出する。更に、紙幣処理装置では、当該特定金種の損券に対応する結束用集積部に当該特定金種の損券の紙幣を集積して、特定金種の損券の結束紙幣を投出する。その結果、紙幣処理装置では、複数の特定金種の正券及び損券の結束紙幣を収集する際のオペレータ側の作業負担を大幅に軽減できる。
【実施例１】
【００３９】
図１は、実施例１の紙幣処理装置の外観構成を示す斜視図、図２は、実施例１の紙幣処理装置の内部構成を示す説明図である。
【００４０】
紙幣処理装置１は、紙幣分類ユニット２、２台の紙幣結束ユニット３（３Ａ，３Ｂ）及び表示ユニット４を有する。紙幣分類ユニット２は、取引紙幣を連続入金し、これら入金した紙幣を紙幣種別毎に分類集積すると共に、その紙幣の入金枚数を紙幣種別毎に計数する。紙幣結束ユニット３（３Ａ，３Ｂ）は、紙幣分類ユニット２によって分類された特定金種の紙幣を所定枚数、例えば１００枚単位で結束する。更に、表示ユニット４は、例えば、計数結果等の各種情報を表示する。
【００４１】
紙幣分類ユニット２は、ホッパ部１１、繰出部１２、紙幣搬送部１３、分岐部１３Ａ、紙幣識別部１４、紙幣反転部１５、スタッカ１６、第１リジェクト部１７、紙幣搬送路１８、検知センサ１９及び第２リジェクト部２０を有する。先ず、紙幣搬送路１８は、第１搬送路１８Ａ、第２搬送路１８Ｂ及び第３搬送路１８Ｃを有する。第１搬送路１８Ａは、スタッカ１６の上方位置に配置され、ホッパ部１１と接続される。第２搬送路１８Ｂは、スタッカ１６の配置方向に折り返すように配置され、第１搬送路１８Ａと接続される。第３搬送路１８Ｃは、第２搬送路１８Ｂと接続されると共に、スタッカ１６及び紙幣結束ユニット３内の結束用集積部２１と接続される。尚、第２搬送路１８Ｂは、第１搬送路１８Ａ及び第３搬送路１８Ｃに接続する着脱可能なユニットで構成される。
【００４２】
ホッパ部１１は、取引紙幣を紙幣搬送路１８内に投入する投入口に相当する。繰出部１２は、ホッパ部１１に投入した取引紙幣を１枚ずつ紙幣搬送路１８上に繰り出す。紙幣搬送部１３は、搬送ベルト等で構成され、繰出部１２によって繰り出された紙幣を紙幣搬送路１８上で搬送する。
【００４３】
分岐部１３Ａは、紙幣搬送路１８上の分岐箇所に配置され、紙幣搬送路１８上を搬送する搬送紙幣を、スタッカ１６、結束用集積部２１、第１リジェクト部１７又は第２リジェクト部２０に振り分ける。尚、分岐部１３Ａは、検知センサ１９を通じて搬送紙幣の先端の進入を検知すると、図示せぬソレノイドが駆動することで搬送紙幣を振り分ける。更に、紙幣識別部１４は、第１搬送路１８Ａ上に配置され、紙幣搬送部１３によって搬送された紙幣の種別を識別する。尚、紙幣種別には、例えば、ユーロ紙幣の場合、５ユーロ、１０ユーロ、２０ユーロ、５０ユーロ、１００ユーロ、２００ユーロ及び５００ユーロの７種類の金種の他に、真券・偽券を識別する真偽情報、正券・損券を識別する正損カテゴリがある。更に、紙幣種別には、表裏を識別する表裏情報や、金種毎の新券・旧券を識別する刷版情報等がある。また、損券は、汚損度合が高レベル、流通に適さないと判断された紙幣に相当する。また、正券は、汚損度合が高レベル未満、流通に適していると判断された紙幣に相当する。
【００４４】
また、紙幣反転部１５は、第２搬送路１８Ｂ上に配置され、紙幣識別部１４の紙幣種別である表裏情報に基づき、紙幣反転部１５の手前に設けられた分岐部１３Ａで搬送紙幣を反転ルート又は無反転ルートに振り分ける。更に、紙幣反転部１５は、振り分けられた搬送紙幣の表面及び裏面の内、特定面に揃えて第３搬送路１８Ｃに搬送する。尚、反転ルートでは、反転部材１５Ａ、図示せぬ搬送ベルト、搬送ベルトを駆動する駆動モータ及び、図示せぬガイド部を有する（特許第４１１９６６４号公報参照）。反転部材１５Ａは、紙幣の搬送方向に延在する曲面を有する。搬送ベルトは、一部が反転部材１５Ａの曲面に沿うようにして、反転部材１５Ａの長手方向に対して斜めに掛けられている。ガイド部は、搬送ベルト及び反転部材１５Ａで挟まれ、反転部材１５Ａの曲面に巻き付けられながら、反転部材１５Ａの長手方向に搬送される紙幣の表面を摺動案内する。
【００４５】
紙幣反転部１５は、駆動モータで搬送ベルトを駆動した状態で紙幣が搬送されると、その紙幣を搬送ベルトと反転部材１５Ａとの間で挟み、その紙幣を搬送ベルトの移動に応じて搬送方向に移動する。この際、搬送ベルトは、反転部材１５Ａの長手方向に対して斜めに沿うように曲面に掛けられているため、紙幣は、曲面に巻き付けられながら搬送されると共に、自転しながら表裏反転される。また、紙幣反転部１５は、紙幣を表裏反転する際、ガイド部で紙幣の表面を摺動案内させることで、搬送途中における紙幣の動きを規制しながら紙幣を確実に表裏反転させることが可能になる。
【００４６】
紙幣反転部１５は、例えば、搬送紙幣の表面を表面のまま、第３搬送路１８Ｃに搬送する場合、無反転ルートを通じて紙幣反転部１５の反転処理を実行することなく、表面のまま、搬送紙幣を第３搬送路１８Ｃに搬送する。また、紙幣反転部１５は、例えば、裏面の搬送紙幣を表面に反転して第３搬送路１８Ｃに搬送する場合、反転ルートを通じて紙幣反転部１５の長手反転処理を実行することで、裏面を表面に反転し、その搬送紙幣を第３搬送路１８Ｃに搬送する。
【００４７】
また、スタッカ１６は、設定中の紙幣種別毎に搬送紙幣を分類集積する第１スタッカ１６Ａ〜第４スタッカ１６Ｄを有する。更に、各スタッカ１６は、搬送紙幣を１枚単位で紙幣集積空間内の所定位置に集積する羽根車１６Ｅを有する。尚、各スタッカ１６は、最大５００枚までの紙幣を集積可能とし、スタッカ１６全体で最大２０００枚の紙幣を集積可能とする。また、スタッカ１６は、抜取可能なオープン型のスタッカである。
【００４８】
また、第１リジェクト部１７は、２個配置し、スタッカ１６及び紙幣結束ユニット３に対応する紙幣種別に該当しない搬送紙幣をリジェクトする。尚、各第１リジェクト部１７は、搬送紙幣を１枚単位で紙幣集積空間内の所定位置に集積する羽根車１７Ｃを有する。また、検知センサ１９は、紙幣搬送路１８上の分岐箇所、合流箇所や装置間の連結箇所等での搬送紙幣の進入及び通過を検知する。また、第２リジェクト部２０は、第３搬送路１８Ｃの最終端に配置され、搬送紙幣を１枚単位で紙幣集積空間内の所定位置に集積する札たたきベルト２０Ａを有する。
【００４９】
また、紙幣結束ユニット３は、第１結束ユニット３Ａ及び第２結束ユニット３Ｂを有する。尚、紙幣結束ユニット３は、２台の結束ユニットに限定することなく、３個以上の結束ユニットを増設することも可能である。更に、第１結束ユニット３Ａは、紙幣搬送部１３の他に、結束用集積部２１、結束部２２、束放出口２３、端数返却口２４、結束前搬送部２５及び結束後搬送部２６を有する。尚、第２結束ユニット３Ｂの内部構成は、第１結束ユニット３Ａの内部構成とほぼ同一であるため、同一符号を付すことで、その重複する構成及び動作の説明については省略する。紙幣搬送部１３は、紙幣分類ユニット２内部の紙幣搬送路１８から本ユニット内へ特定金種紙幣を搬送する。更に、結束用集積部２１は、紙幣結束ユニット３内の上下方向に三段配置され、その搬送された特定金種紙幣を分類集積する。
【００５０】
図３は、結束用集積部２１の内部構成を示す説明図である。結束用集積部２１は、集積空間３１、ステージ部３２、札たたきベルト３３、進入検知センサ３４及び寸法調整機構３５を有する。集積空間３１は、左右の側壁部３１Ａ及び背面壁部３１Ｂで構成される。更に、ステージ部３２は、図２に示すように、集積空間３１内に昇降可能に配置され、搬送紙幣を集積する。尚、ステージ部３２は、一番上に集積した紙幣の高さを一定に保持すべく、搬送紙幣を集積する都度、順次降下する。更に、札たたきベルト３３は、集積空間３１内に集積された搬送紙幣を整位する。更に、進入検知センサ３４は、集積空間３１内への搬送紙幣の進入を検知する。寸法調整機構３５は、結束用集積部２１に集積される紙幣の設定寸法に応じて集積空間３１を調整する。
【００５１】
寸法調整機構３５は、紙幣整理機構３６及び短手調整機構３７を有する。紙幣整理機構３６は、集積設定中の設定紙幣の設定寸法に応じて集積空間３１に集積する結束対象紙幣の長手方向を整位する。紙幣整理機構３６は、左右のアーム部３６Ａ及びステッピングモータ３６Ｂを有する。左右のアーム部３６Ａは、集積空間３１内の側壁部３１Ａの端部に対して回動可能に配置され、集積空間３１の内方向Ｙへ回動する。更に、ステッピングモータ３６Ｂは、設定紙幣に応じた設定回動位置に左右のアーム部３６Ａを回動させる。左右のアーム部３６Ａは、その先端部で集積空間３１内のステージ部３２上に集積する集積紙幣の端面を叩き、集積紙幣の長手方向を整位する。
【００５２】
また、短手調整機構３７は、集積空間３１の背面壁部３１Ｂを紙幣搬送の前後方向Ｘに移動可能にし、集積空間３１に集積設定された設定紙幣の短手寸法に応じて集積空間３１の短手寸法を調整する。また、背面壁部３１Ｂは、例えば、３個の切欠部３１Ｃを有する。結束前搬送部２５のハンド部４１（図２参照）は、これら切欠部３１Ｃを通じて集積空間３１内への進入を可能とする。更に、背面壁部３１Ｂは、その下部を開閉可能なシャッタ構成としている。その結果、ハンド部４１は、切欠部３１Ｃを通じて集積空間３１内の結束対象紙幣の長手側を把持し、その把持した結束対象紙幣を集積空間３１から引き抜くことができる。
【００５３】
また、結束部２２は、３個の結束用集積部２１の下方位置に配置され（図２参照）、結束用集積部２１に集積された結束対象紙幣が所定枚数、例えば、１００枚に到達した場合、その１００枚の結束対象紙幣を結束帯で結束して、結束紙幣を作成する。更に、結束部２２は、結束帯リール５１、結束帯止め部５２、旋回アーム５３、カッタ部５４、ヒータ部５５及び印字部５６を有する。結束帯リール５１は、結束帯を収容する部位である。結束帯止め部５２は、結束対象紙幣の結束位置を結束ステージ上の結束作業位置に位置決め配置した状態で、結束帯リール５１から引き出した結束帯の先端を結束対象紙幣の結束位置に止める。尚、結束ステージとは、結束部２２の結束作業領域に相当するものである。
【００５４】
また、旋回アーム５３は、結束対象紙幣の結束位置に止めた結束帯を結束帯リール５１から引き出し、引き出した結束帯を結束対象紙幣の結束位置に巻き付ける。カッタ部５４は、結束対象紙幣の結束位置に巻き付けた結束帯の他端を切断する。ヒータ部５５は、そのカッタ部５４で切断した結束帯の他端を熱溶着する。印字部５６は、結束帯リール５１から引き出した結束帯に任意の文字を印字する。
【００５５】
また、束放出口２３は、ホッパ部１１近傍に配置され、結束部２２によって結束された結束紙幣をオペレータ側に投出する投出口である。更に、端数返却口２４は、結束用集積部２１の近傍に配置され、取引終了時に結束用集積部２１に集積された端数紙幣をオペレータ側に放出する返却口である。
【００５６】
また、結束前搬送部２５は、結束用集積部２１に集積された結束対象紙幣を結束部２２又は端数返却口２４に搬送する。結束前搬送部２５は、結束用集積部２１に集積された結束対象紙幣の内、１００枚の結束対象紙幣の長手側を把持して、これら１００枚の結束対象紙幣を結束部２２内の結束ステージ上に搬送する。また、結束前搬送部２５は、取引終了時に、結束用集積部２１に集積された結束対象紙幣の内、１００枚に満たない端数紙幣を把持して、これら端数紙幣を端数返却口２４へ搬送する。
【００５７】
更に、結束前搬送部２５は、ハンド部４１を備えた搬送ユニット４２、水平移動機構４３及び垂直移動機構４４を有する。搬送ユニット４２のハンド部４１は、結束用集積部２１に集積された結束対象紙幣の長手側を一括把持する。更に、水平移動機構４３は、搬送ユニット４２を前後方向（水平方向）に移動させる機構である。更に、垂直移動機構４４は、搬送ユニット４２を上下方向（垂直方向）に移動させる機構である。垂直移動機構４４は、紙幣結束ユニット３内の下端から上端に到る垂直に設置されたガイド軸４４Ａと、このガイド軸４４Ａで案内して搬送ユニット４２を昇降する駆動ベルト４４Ｂとを有する。
【００５８】
また、搬送ユニット４２は、水平移動機構４３内の駆動ベルト４３Ａを通じて前進又は後退可能なハンド部４１を備えている。ハンド部４１は、例えば、上ハンド４１Ａの３本の把持爪及び、下ハンド４１Ｂの３本の把持爪同士を対峙し、把持爪同士で結束用集積部２１に集積された結束対象紙幣の長手側を把持する。尚、下ハンド４１Ｂは、固定であるのに対し、上ハンド４１Ａは、駆動ベルト４１Ｃを通じて上下動可能である。
【００５９】
搬送ユニット４２は、上ハンド４１Ａ及び下ハンド４１Ｂの把持爪同士で結束対象紙幣の長手側を把持し、把持した結束対象紙幣を結束部２２内の結束ステージ上の作業準備位置又は端数返却口２４に搬送する。結束前搬送部２５は、搬送ユニット４２を通じて１００枚の結束対象紙幣の長手側を把持した状態で、結束部２２内の結束ステージ上の作業準備位置に結束対象紙幣を搬送配置する。
【００６０】
また、結束後搬送部２６は、結束部２２内の結束対象紙幣を紙幣長手方向に把持搬送すると共に、結束部２２によって結束された結束紙幣を束放出口２３方向に搬送する。結束後搬送部２６は、把持搬送部２７及び放出搬送部２８を有する。把持搬送部２７は、結束前搬送部２５によって結束対象紙幣を結束部２２内の結束ステージ上に搬送した後、この搬送した結束対象紙幣の短手側を把持し、この把持した結束対象紙幣を紙幣長手方向に搬送する。その後、把持搬送部２７は、結束部２２によって結束された結束紙幣を把持して搬送する。
【００６１】
また、把持搬送部２７は、搬送ユニット４２を通じて１００枚の結束対象紙幣の長手側を把持した状態で、結束部２２内の結束ステージ上の作業準備位置で１００枚の結束対象紙幣の短手側を把持する。尚、結束前搬送部２５内の搬送ユニット４２は、把持搬送部２７による結束対象紙幣の短手側の把持動作に応じて、結束対象紙幣の長手側の把持を開放し、待機位置に移動する。
【００６２】
更に、把持搬送部２７は、紙幣の短手側を一括把持する上下ハンドの把持部２７Ａを有する。把持部２７Ａは、結束対象紙幣の結束位置を結束ステージ上の結束作業位置に位置決め配置すべく、結束対象紙幣を把持し、作業準備位置から結束対象紙幣の長手方向に結束対象紙幣を搬送する。
【００６３】
結束部２２は、把持部２７Ａを通じて結束対象紙幣の短手側を把持した状態で、結束対象紙幣の結束位置を結束ステージ上の結束作業位置に位置決め配置すると、結束対象紙幣の結束位置に結束帯を結束する結束作業を実行する。
【００６４】
把持部２７Ａは、結束部２２を通じて結束対象紙幣の結束動作が完了すると、この結束紙幣を作業準備位置に戻し、結束紙幣を放出搬送部２８内の結束紙幣リフト部６１内に搬送する。尚、把持搬送部２７は、結束紙幣を結束紙幣リフト部６１内に搬送すると、結束紙幣の短手側の把持を開放する。
【００６５】
尚、把持搬送部２７は、結束前搬送部２５によって結束部２２内の結束ステージ２２Ａ上の作業準備位置に結束対象紙幣を搬送した後、この作業準備位置で結束対象紙幣の短手側を把持する(後述する図８（Ｃ）参照)。更に、結束前搬送部２５は、把持搬送部２７による結束対象紙幣の短手側の把持動作に応じて、結束対象紙幣の長手側の把持を開放する。作業準備位置とは、結束作業を実行する結束ステージ２２Ａ上の結束作業位置に対して結束対象紙幣の移動調整、すなわち結束対象紙幣長手方向への移動を開始する位置に相当する。また、結束作業位置は、結束対象紙幣に結束帯を結束する作業位置に相当する。
【００６６】
また、把持搬送部２７は、結束ステージ２２Ａ上の作業準備位置に結束対象紙幣を把持すると、結束ステージ２２Ａ上の結束作業位置に結束対象紙幣の結束位置を配置すべく、結束対象紙幣を、その紙幣長手方向に移動調整する(後述する図８（Ｅ）参照)。尚、結束部２２は、この結束作業位置に結束対象紙幣の結束位置を配置することで、同結束対象紙幣の結束位置に結束帯を巻回する。また、把持搬送部２７は、結束対象紙幣を紙幣長手方向に移動調整することで、結束対象紙幣の結束位置を変更する。その結果、結束部２２は、結束対象紙幣の異なる結束位置に結束帯を巻回する。
【００６７】
更に、把持搬送部２７は、結束対象紙幣の短手側を把持したまま、結束ステージ２２Ａ上の結束作業位置での結束対象紙幣の結束作業が完了すると、その結束紙幣を作業準備位置に搬送する（後述する図８（Ｆ）参照）。更に、把持搬送部２７は、この結束紙幣を放出搬送部２８内に搬送する。
【００６８】
また、放出搬送部２８は、把持搬送部２７によって搬送された結束紙幣を束放出口２３に搬送する。放出搬送部２８は、結束紙幣リフト部６１、押出機構６２及び放出保持機構６３を有する。結束紙幣リフト部６１は、把持搬送部２７によって搬送された結束紙幣を紙幣結束ユニット３上部に搬送する。更に、押出機構６２は、結束紙幣リフト部６１によって紙幣結束ユニット３上部に搬送された結束紙幣を束放出口２３方向（装置正面方向）に押し出す。更に、放出保持機構６３は、押出機構６２で装置正面に押し出された結束紙幣を集積すると共に、結束紙幣を束放出口２３から投出することができる。
【００６９】
放出保持機構６３は、束集積部７１を有する。束集積部７１は、結束紙幣ステージ７１Ａ及び開閉プレートを有する。結束紙幣ステージ７１Ａは、束集積部７１内に配置され、押出機構６２によって押し出された結束紙幣を載置する。尚、結束紙幣ステージ７１Ａは、その高さを調整する機構を有する。従って、結束紙幣ステージ７１Ａは、調整機構を使用して最上部の結束紙幣の高さを束集積部７１内の特定位置に保持すべく付勢配置される。開閉プレートは、束集積部７１の上部開口部を開閉するプレートである。更に、開閉プレートは、押出機構６２によって結束紙幣が装置正面方向に押出されると、その結束紙幣の自重による開動作に応じて当該結束紙幣を束集積部７１内の結束紙幣ステージ７１Ａ上に落下させる。尚、開閉プレートは、バネ復帰力で閉動作を実行し、例えば、結束紙幣の自重で開動作を実行するようにしたが、これら開閉動作を駆動制御で行うようにしても良い。
【００７０】
尚、説明の便宜上、第１結束ユニット３Ａ内の結束用集積部２１を第１結束用集積部２１Ａ、第２結束用集積部２１Ｂ及び第３結束用集積部２１Ｃとする。更に、第２結束ユニット３Ｂ内の結束用集積部２１を第４結束用集積部２１Ｄ、第５結束用集積部２１Ｅ及び第６結束用集積部２１Ｆとする。
【００７１】
図４は、紙幣処理装置１の内部構成を示すブロック図である。図４に示す紙幣処理装置１は、紙幣識別部１４、スタッカ側メカ機構１１０、結束側メカ機構１２０、操作部１３０、表示制御部１４０、駆動制御部１５０、寸法調整駆動制御部１６０及び制御部１７０を有する。スタッカ側メカ機構１１０は、紙幣分類ユニット２内部のメカ機構に相当し、繰出部１２、紙幣搬送部１３、分岐部１３Ａ、紙幣反転部１５、羽根車１６Ｅ（１７Ｃ）及び検知センサ１９を有する。
【００７２】
更に、結束側メカ機構１２０は、紙幣結束ユニット３内部のメカ機構に相当し、紙幣搬送部１３、分岐部１３Ａ、検知センサ１９、結束部２２、結束前搬送部２５、結束後搬送部２６、札たたきベルト３３及び寸法調整機構３５を有する。尚、結束後搬送部２６は、把持搬送部２７及び放出搬送部２８を有し、寸法調整機構３５は、紙幣整理機構３６及び短手調整機構３７を有する。
【００７３】
尚、操作部１３０は、様々なコマンドを入力し、例えば、指定部１３１を有する。指定部１３１は、第１スタッカ１６Ａ〜第４スタッカ１６Ｄ、第１結束用集積部２１Ａ〜第６結束用集積部２１Ｆに集積すべき搬送紙幣の紙幣種別をオペレータ側の操作で指定する。その指定内容として、例えば、指定部１３１は、第１結束ユニット３Ａに対して「第１結束用集積部２１Ａに５０ユーロ紙幣の正券、第２結束用集積部２１Ｂに２０ユーロ紙幣の正券、第３結束用集積部２１Ｃに予備」を指定する。更に、指定内容として、例えば、指定部１３１は、第２結束ユニット３Ｂに対して、「第４結束用集積部２１Ｄに５０ユーロ紙幣の損券、第５結束用集積部２１Ｅに２０ユーロ紙幣の損券、第６結束用集積部２１Ｆに予備」を指定する。
【００７４】
表示制御部１４０は、表示ユニット４の表示を制御する。駆動制御部１５０は、スタッカ側メカ機構１１０及び結束側メカ機構１２０の駆動を制御する。寸法調整駆動制御部１６０は、結束側メカ機構１２０内部の寸法調整機構３５の駆動を制御する。制御部１７０は、紙幣処理装置１全体を制御する。
【００７５】
制御部１７０は、設定制御部１７１、搬送制御部１７２及び結束制御部１７３を有する。設定制御部１７１は、指定部１３１の指定内容に基づき、例えば、スタッカ１６、第１リジェクト部１７、第２リジェクト部２０及び結束用集積部２１に集積する紙幣種別（集積紙幣）を設定する。尚、設定制御部１７１は、例えば、「第１スタッカ１６Ａに５ユーロ紙幣、第２スタッカ１６Ｂに１０ユーロ紙幣、第３スタッカ１６Ｃに１００ユーロ紙幣、第４スタッカ１６Ｄに２００ユーロ紙幣、第１リジェクト部１７Ａに５００ユーロ紙幣」を設定する。更に、設定制御部１７１は、第１結束ユニット３Ａの初期設定として、「第１結束用集積部２１Ａに５０ユーロ紙幣の正券、第２結束用集積部２１Ｂに２０ユーロ紙幣の正券、第３結束用集積部２１Ｃに予備」を設定する。更に、設定制御部１７１は、第２結束ユニット３Ｂの初期設定として、「第４結束用集積部２１Ｄに５０ユーロ紙幣の損券、第５結束用集積部２１Ｅに２０ユーロ紙幣の損券、第６結束用集積部２１Ｆに予備」を設定する。更に、制御部１７０は、検知センサ１９の検知結果に基づき、紙幣搬送路１８上の紙幣詰まり（ジャム）等の障害を認識する。
【００７６】
更に、搬送制御部１７２は、搬送紙幣の紙幣種別に対応した設定制御部１７１の設定内容に基づき、搬送紙幣をスタッカ１６又は結束用集積部２１に分類集積すべく、駆動制御部１５０を通じて紙幣搬送部１３及び分岐部１３Ａの駆動を制御する。また、搬送制御部１７２は、搬送紙幣がスタッカ１６及び結束用集積部２１に設定中の紙幣以外の場合に、この搬送紙幣を第１リジェクト部１７に搬送すべく、駆動制御部１５０を通じて紙幣搬送部１３及び分岐部１３Ａの駆動を制御する。搬送制御部１７２は、搬送紙幣が搬送異常等により識別できない紙幣の場合に、この搬送紙幣を第１リジェクト部１７に搬送すべく、駆動制御部１５０を通じて紙幣搬送部１３及び分岐部１３Ａの駆動を制御する。また、搬送制御部１７２は、第１リジェクト部１７Ｂより上流で搬送紙幣の障害を検出した場合に、この搬送紙幣を第１リジェクト部１７Ｂに順次搬送すべく、駆動制御部１５０を通じて紙幣搬送部１３及び分岐部１３Ａの駆動を制御する。
【００７７】
更に、搬送制御部１７２は、第１リジェクト部１７Ｂから下流で搬送紙幣の障害を検出した場合に、この搬送紙幣を第２リジェクト部２０に順次搬送すべく、駆動制御部１５０を通じて紙幣搬送部１３及び分岐部１３Ａの駆動を制御する。尚、第２搬送路１８Ｂ又は第３搬送路１８Ｃの第１リジェクト部１７Ｂから下流では、紙幣搬送路１８上の紙幣単体の斜行、紙幣の連鎖や紙幣重送等の障害がある場合、紙幣搬送の停止に比較して、障害紙幣を第２リジェクト部２０まで搬送した方が迅速に障害復旧できる。
【００７８】
更に、搬送制御部１７２は、搬送紙幣が結束用集積部２１に設定中の紙幣種別（集積紙幣）の場合に、この搬送紙幣を結束用集積部２１に分類集積すべく、駆動制御部１５０を通じて紙幣搬送部１３及び分岐部１３Ａの駆動を制御する。更に、搬送制御部１７２は、例えば、第１結束用集積部２１Ａに集積される結束対象紙幣が１００枚に到達した場合に、駆動制御部１５０を通じて結束前搬送部２５の駆動を制御する。その結果、結束前搬送部２５の搬送ユニット４２内のハンド部４１は、駆動制御部１５０の駆動制御に応じて、第１結束用集積部２１Ａに集積された結束対象紙幣を引き抜く。
【００７９】
更に、結束制御部１７３は、結束前搬送部２５で引き抜かれた１００枚の結束対象紙幣を結束帯で結束すべく、結束部２２を制御する。尚、結束制御部１７３は、例えば、１００枚の結束対象紙幣が正券である場合、この正券紙幣の中央部を結束位置とし、この結束位置に結束帯を結束すべく、結束部２２を制御する（図５（Ａ）参照）。更に、結束制御部１７３は、１００枚の結束対象紙幣が損券である場合に、この損券紙幣の左端部を結束位置とし、この結束位置に結束帯を結束すべく、結束部２２を制御する。
【００８０】
また、設定制御部１７１は、例えば、第１結束用集積部２１Ａに集積される５０ユーロ紙幣の正券が１００枚に到達した場合に、予備の第３結束用集積部２１Ｃに５０ユーロ紙幣の正券を切替設定する。更に、設定制御部１７１は、搬送ユニット４２内のハンド部４１を通じて１００枚に到達した５０ユーロ紙幣の正券を引き抜いたことで紙幣集積可能となった第１結束用集積部２１Ａに予備を切替設定する。
【００８１】
また、結束制御部１７３は、結束用集積部２１に集積された結束対象紙幣が１００枚単位で引き抜かれた時点で、結束作業前に結束対象紙幣の紙幣種別を認識できる。従って、結束制御部１７３は、その紙幣種別に応じて結束対象紙幣の結束位置を設定変更すべく、把持搬送部２７を駆動制御した後、その結束位置に結束帯を巻回して結束対象紙幣を結束する。
【００８２】
また、結束用集積部２１の寸法を調整する寸法調整駆動制御部１６０の動作について説明する。尚、寸法調整駆動制御部１６０は、紙幣種別毎に、紙幣整理機構３６内のアーム部３６Ａの設定回動位置及び短手調整機構３７内の短手寸法を管理する。図６は、結束用集積部２１の動作遷移を示す説明図である。図６において寸法調整駆動制御部１６０は、集積設定中の設定紙幣に応じて、背面壁部３１ＢをＸ方向に移動して集積空間３１を調整すべく、短手調整機構３７の駆動を制御する。更に、寸法調整駆動制御部１６０は、その設定紙幣の長手寸法に応じて紙幣整理機構３６のアーム部３６Ａの設定回動位置を設定すべく、紙幣整理機構３６の駆動を制御する。
【００８３】
先ず、寸法調整駆動制御部１６０は、設定紙幣の短手寸法に応じた位置に背面壁部３１Ｂを移動配置し、設定紙幣の長手寸法に応じた設定回動位置を紙幣整理機構３６のアーム部３６Ａに設定する（図６（Ａ）参照）。
【００８４】
次に、寸法調整駆動制御部１６０は、進入検知センサ３４を通じて集積空間３１内の搬送紙幣の進入を検知すると、左右のアーム部３６Ａを拡開する（図６（Ｂ）参照）。更に、寸法調整駆動制御部１６０は、進入検知センサ３４を通じて搬送紙幣の通過完了を検知した後、その所定時間経過後に、左右のアーム部３６Ａを設定回動位置に回動する。そして、寸法調整駆動制御部１６０は、左右のアーム部３６Ａの先端部同士で集積空間３１内に集積された搬送紙幣の長手方向を整位する（図６（Ｃ）参照）。その結果、結束用集積部２１の集積空間３１内には搬送紙幣が順次集積される。
【００８５】
次に、集積空間３１内に順次集積された搬送紙幣（結束対象紙幣Ｐ）を結束部２２の作業準備位置又は端数返却口２４に搬送する際の結束前搬送部２５の動作について説明する。図７は、結束前搬送部２５の動作遷移を示す説明図である。
【００８６】
結束前搬送部２５は、搬送ユニット４２を通じて結束対象紙幣Ｐを引き抜く場合に、引抜対象の結束用集積部２１内のステージ部３２を最下端まで降下させる（図７（Ａ）参照）。結束前搬送部２５は、駆動ベルト４４Ｂの動作で引抜対象の結束用集積部２１に対する位置、すなわち結束用集積部２１に集積された結束対象紙幣Ｐの最下端の紙幣よりも下ハンド４１Ｂの上面が低くなる位置まで搬送ユニット４２を降下させる（図７（Ａ）参照）。
【００８７】
更に、結束前搬送部２５は、駆動ベルト４１Ｃの動作で結束対象紙幣Ｐの最上端の紙幣よりも上ハンド４１Ａの下面が高くなる位置まで搬送ユニット４２の上ハンド４１Ａを上昇させる（図７（Ａ）参照）。その結果、上ハンド４１Ａ及び下ハンド４１Ｂ間は拡開した状態となる。
【００８８】
また、搬送ユニット４２は、水平移動機構４３の駆動ベルト４３Ａの動作に応じて前進する。そして、上ハンド４１Ａ及び下ハンド４１Ｂは、搬送ユニット４２の前進動作に応じて、結束用集積部２１の背面壁部３１Ｂに形成した切欠部３１Ｃを通じて結束用集積部２１内に進入する。その結果、これら上ハンド４１Ａ及び下ハンド４１Ｂ間には、結束対象紙幣Ｐが位置することになる（図７（Ｂ）参照）。更に、搬送ユニット４２は、駆動ベルト４１Ｃの動作で上ハンド４１Ａを下降させる。これら上ハンド４１Ａ及び下ハンド４１Ｂは、上ハンド４１Ａの下降動作に応じてステージ部３２上の結束対象紙幣の長手側を強固に把持することになる（図７（Ｃ）参照）。
【００８９】
そして、搬送ユニット４２は、水平移動機構４３の駆動ベルト４３Ａの動作に応じて後退する。垂直移動機構４４は、搬送ユニット４２の後退動作に応じて、上ハンド４１Ａ及び下ハンド４１Ｂで把持した結束対象紙幣Ｐを結束ステージ２２Ａ上の作業準備位置又は端数返却口２４に移動可能な状態となる（図７（Ｄ）参照）。
【００９０】
例えば、駆動制御部１５０は、結束対象紙幣Ｐが１００枚に到達した場合に、結束前搬送部２５内の搬送ユニット４２のハンド部４１が背面壁部３１Ｂの切欠部３１Ｃを通じて集積空間３１内に進入すべく、結束前搬送部２５の駆動を制御する。そして、ハンド部４１は、ステージ部３２上の結束対象紙幣の長手側を把持し、この把持した結束対象紙幣を結束用集積部２１から引き抜く。更に、駆動制御部１５０は、この引き抜いた結束対象紙幣を、水平移動機構４３、垂直移動機構４４及び水平移動機構４３を通じて結束部２２に搬送すべく、結束前搬送部２５の駆動を制御する。
【００９１】
また、駆動制御部１５０は、取引終了時に、結束対象紙幣Ｐが１００枚に満たない場合に、搬送ユニット４２のハンド部４１が背面壁部３１Ｂの切欠部３１Ｃを通じて集積空間３１内に進入すべく、結束前搬送部２５の駆動を制御する。そして、ハンド部４１は、ステージ部３２上の結束対象紙幣の長手側を把持し、この把持した端数の結束対象紙幣を結束用集積部２１から引き抜く。更に、駆動制御部１５０は、この引き抜いた端数の結束対象紙幣を、水平移動機構４３、垂直移動機構４４及び水平移動機構４３を通じて端数返却口２４に搬送すべく、結束前搬送部２５の駆動を制御する。その後、駆動制御部１５０は、結束用集積部２１に集積された結束対象紙幣Ｐの引抜後、結束用集積部２１内のステージ部３２を上昇させて、搬送ユニット４２を通常の紙幣集積待ち位置に復帰すべく、結束前搬送部２５の駆動を制御する。
【００９２】
次に、結束前搬送部２５によって搬送された１００枚の結束対象紙幣Ｐを搬送する把持搬送部２７の動作について説明する。図８は、把持搬送部２７の動作遷移を示す説明図である。図９は、結束ステージ２２Ａ上の把持搬送部２７の動作遷移を示す説明図である。図８において結束前搬送部２５の搬送ユニット４２は、結束用集積部２１に集積された結束対象紙幣Ｐの長手側を把持し、この把持した結束対象紙幣Ｐを水平移動機構４３及び垂直移動機構４４を通じて結束部２２の入口付近に搬送する（図８（Ａ）参照）。尚、把持搬送部２７の把持部２７Ａは、図８（Ａ）に示すように結束ステージ２２Ａ上の作業準備位置に配置される。
【００９３】
更に、搬送ユニット４２は、水平移動機構４３を通じて結束対象紙幣Ｐを結束部２２内の結束ステージ２２Ａ上に搬送する(図８（Ｂ）参照)。更に、搬送ユニット４２は、結束対象紙幣を結束ステージ２２Ａ上の作業準備位置に搬送する(図８（Ｃ）参照)。その結果、把持搬送部２７の把持部２７Ａは、搬送ユニット４２による結束対象紙幣Ｐの作業準備位置への搬送に応じて、作業準備位置で結束対象紙幣Ｐの短手側を把持する(図８（Ｃ）参照)。
【００９４】
搬送ユニット４２は、把持搬送部２７の把持部２７Ａの結束対象紙幣Ｐの把持動作に応じて、結束対象紙幣Ｐの長手側の把持を開放し(図８（Ｄ）参照)、通常の紙幣集積待ち位置に戻る。更に、把持搬送部２７の把持部２７Ａは、結束対象紙幣Ｐの結束位置を結束ステージ２２Ａ上の結束作業位置に位置決め配置すべく、結束対象紙幣Ｐの長手方向に移動する(図８（Ｅ）参照)。尚、結束部２２は、把持部２７Ａによって結束対象紙幣Ｐの短手側を把持したまま、結束ステージ２２Ａ上の結束作業位置に位置決めされた結束対象紙幣Ｐの結束位置に結束帯Ｒを巻回して結束する。そして、結束部２２は、結束紙幣Ｐ１を作成する。
【００９５】
尚、図９（Ａ）において把持部２７Ａは、結束対象紙幣Ｐの結束位置である中央部を結束ステージ２２Ａ上の結束作業位置に位置決め配置する。そして、結束部２２は、結束対象紙幣Ｐの中央部に結束帯Ｒを巻回して結束することで、中央巻きの結束紙幣Ｐ１を作成する。
【００９６】
また、図９（Ｂ）において把持部２７Ａは、結束対象紙幣Ｐの結束位置である把持側端部（右端部）を結束作業位置に位置決め配置する。そして、結束部２２は、結束対象紙幣Ｐの把持側端部に結束帯Ｒを巻回して結束することで、右端巻きの結束紙幣Ｐ１を作成する。
【００９７】
また、図９（Ｃ）において把持部２７Ａは、結束対象紙幣Ｐの結束位置である把持反対側の端部（左端部）を結束作業位置に位置決め配置する。そして、結束部２２は、結束対象紙幣Ｐの把持反対側端部に結束帯Ｒを巻回して結束することで、左端巻きの結束紙幣Ｐ１を作成する。
【００９８】
そして、把持搬送部２７の把持部２７Ａは、結束ステージ２２Ａ上の結束作業位置に位置決め配置された結束紙幣Ｐ１を作業準備位置に移動し(図８（Ｆ）参照)、結束紙幣Ｐ１を放出搬送部２８に搬送する(図８（Ｇ）参照)。
【００９９】
次に、把持搬送部２７によって搬送された結束紙幣Ｐ１を束放出口２３方向に搬送する結束後搬送部２６の放出搬送部２８の動作について説明する。図１０は、放出搬送部２８の動作遷移を示す説明図である。放出搬送部２８の結束紙幣リフト部６１は、把持搬送部２７で搬送した結束紙幣Ｐ１を載置するための搬送リフト６１Ａを最下位で待機させる（図１０（Ａ）参照）。次に、把持搬送部２７は、結束紙幣リフト部６１の搬送リフト６１Ａ上に結束紙幣Ｐ１を把持したまま、その結束紙幣Ｐ１を搬送する（図１０（Ｂ）参照）。結束紙幣リフト部６１は、搬送リフト６１Ａの上昇動作に応じて搬送リフト６１Ａ上に結束紙幣Ｐ１を載置する（図１０（Ｃ）参照）。更に、把持搬送部２７は、搬送リフト６１Ａ上に結束紙幣Ｐ１が載置されると、結束紙幣Ｐ１の把持を開放した後（図１０（Ｄ）参照）、作業準備位置へと移動する（図１０（Ｅ）参照）。
【０１００】
その後、結束紙幣リフト部６１は、結束紙幣Ｐ１が載置された搬送リフト６１Ａを上昇させる。更に、押出機構６２の押出搬送部６２Ａは、搬送リフト６１Ａの上昇に応じたリンク機構６１Ｂの連携動作に応じて押出状態とし（図１０（Ｆ）参照）、搬送リフト６１Ａ上に載置した結束紙幣Ｐ１を押出搬送部６２Ａにセットする（図１０（Ｇ）参照）。
【０１０１】
押出搬送部６２Ａは、セットした結束紙幣Ｐ１を装置正面パネル方向に押出搬送する（図１０（Ｈ）参照）。放出保持機構６３は、束集積部７１の開閉プレートの開動作に応じて結束紙幣Ｐ１を束集積部７１内の結束紙幣ステージ７１Ａ上に落下して集積する（図１０（Ｉ）参照）。その後、結束紙幣リフト部６１は、搬送リフト６１Ａを最下位へ下降し、その下降動作に連動したリンク機構６１Ｂの動作に応じて押出搬送部６２Ａを元の待機状態に戻す（図１０（Ｉ）及び（Ｊ）参照）。
【０１０２】
更に、放出保持機構６３は、束集積部７１内に集積された最上部の結束紙幣Ｐ１の高さが特定位置に保持すべく、束集積部７１内の結束紙幣ステージ７１Ａを調整する（図１０（Ｋ）参照）。
【０１０３】
次に、複数の金種の内、例えば２種類の特定金種の紙幣を正損カテゴリ毎に分類する第１特定金種分類処理について説明する。図１１は、第１特定金種分類処理に関わる制御部１７０内部の処理動作を示すフローチャートである。図１１に示す第１特定金種分類処理は、特定金種の正券紙幣を第１結束ユニット３Ａに分類し、特定金種の損券紙幣を第２結束ユニット３Ｂに分類する処理である。尚、制御部１７０内の設定制御部１７１は、第１特定金種及び第２特定金種の正券紙幣を第１結束ユニット３Ａの集積紙幣に設定すると共に、第１特定金種及び第２特定金種の損券紙幣を第２結束ユニット３Ｂの集積紙幣に設定する。設定制御部１７１は、例えば、ユーロ紙幣に適用した場合、流通量の多い、第１特定金種として５０ユーロ紙幣、第２特定金種として２０ユーロ紙幣を設定するものとする。
【０１０４】
制御部１７０は、紙幣識別部１４を通じて搬送紙幣の紙幣種別を識別すると（ステップＳ１１）、その識別結果に基づき、搬送紙幣が第１特定金種であるか否かを判定する（ステップＳ１２）。
【０１０５】
制御部１７０は、搬送紙幣が第１特定金種である場合に（ステップＳ１２肯定）、識別結果に基づき、その搬送紙幣が正券であるか否かを判定する（ステップＳ１３）。制御部１７０内の搬送制御部１７２は、搬送紙幣が正券である場合に（ステップＳ１３肯定）、駆動制御部１５０を通じて紙幣搬送部１３及び分岐部１３Ａの駆動を制御する（ステップＳ１４）。その結果、紙幣搬送部１３及び分岐部１３Ａは、搬送紙幣である第１特定金種の正券紙幣を第１結束ユニット３Ａ内の結束用集積部２１へ搬送する（ステップＳ１４）。
【０１０６】
更に、制御部１７０は、第１特定金種の正券紙幣を第１結束ユニット３Ａへ搬送後、後述する図１２に示す第１結束用集積処理に移行した後（ステップＳ１５）、図１０に示す処理動作を終了する。
【０１０７】
また、搬送制御部１７２は、搬送紙幣が正券でない場合に（ステップＳ１３否定）、搬送紙幣が損券であると判断し、駆動制御部１５０を通じて紙幣搬送部１３及び分岐部１３Ａの駆動を制御する（ステップＳ１６）。その結果、紙幣搬送部１３及び分岐部１３Ａは、搬送紙幣である第１特定金種の損券紙幣を第２結束ユニット３Ｂ内の結束用集積部２１へ搬送する（ステップＳ１６）。
【０１０８】
また、制御部１７０は、搬送紙幣が第１特定金種でない場合に（ステップＳ１２否定）、識別結果に基づき、その搬送紙幣が第２特定金種であるか否かを判定する（ステップＳ１７）。制御部１７０は、搬送紙幣が第２特定金種である場合に（ステップＳ１７肯定）、その搬送紙幣が正券であるか否かを判定する（ステップＳ１８）。
【０１０９】
搬送制御部１７２は、搬送紙幣が正券である場合に（ステップＳ１８肯定）、その第２特定金種の正券紙幣を第１結束ユニット３Ａ内に搬送すべく、図中のＭ１のステップＳ１４に移行する。
【０１１０】
また、搬送制御部１７２は、搬送紙幣が正券でない場合に（ステップＳ１８否定）、搬送紙幣が損券であると判断し、その第２特定金種の損券紙幣を第２結束ユニット３Ｂ内に搬送すべく、ステップＳ１６に移行する。
【０１１１】
搬送制御部１７２は、搬送紙幣が第２特定金種でない場合に（ステップＳ１７否定）、搬送紙幣が第１特定金種及び第２特定金種以外の紙幣であると判断し、駆動制御部１５０を通じて紙幣搬送部１３及び分岐部１３Ａの駆動を制御する（ステップＳ１９）。その結果、紙幣搬送部１３及び分岐部１３Ａは、第１特定金種及び第２特定金種以外の紙幣に対応したスタッカ１６又は第１リジェクト部１７等に搬送紙幣を搬送し（ステップＳ１９）、図１１に示す処理動作を終了する。
【０１１２】
図１１に示す第１特定金種分類処理を実行する紙幣処理装置１では、搬送紙幣が第１特定金種又は第２特定金種の正券紙幣である場合に、これら第１特定金種の正券紙幣及び第２特定金種の正券紙幣を第１結束ユニット３Ａ内に搬送する。その結果、第１結束ユニット３Ａでは、第１特定金種の正券に対応する結束用集積部２１内に第１特定金種の正券紙幣を集積すると共に、第２特定金種の正券に対応する結束用集積部２１内に第２特定金種の正券紙幣を集積する。
【０１１３】
図１１に示す第１特定金種分類処理を実行する紙幣処理装置１では、搬送紙幣が第１特定金種又は第２特定金種の損券紙幣である場合に、これら第１特定金種及び第２特定金種の損券紙幣を第２結束ユニット３Ｂ内に搬送する。その結果、第２結束ユニット３Ｂでは、第１特定金種の損券に対応する結束用集積部２１内に第１特定金種の損券紙幣を集積すると共に、第２特定金種の損券に対応する結束用集積部２１内に第２特定金種の損券紙幣を集積する。
【０１１４】
次に、図１１に示すステップＳ１５の第１結束用集積処理について説明する。図１２は、第１結束用集積処理に関わる制御部１７０内部の処理動作を示すフローチャートである。図１２に示す第１結束用集積処理は、第１結束ユニット３Ａの場合、結束用集積部２１内に集積した第１特定金種及び第２特定金種の正券を特定金種毎に結束紙幣を作成して投出する処理である。また、第１結束用集積処理は、第２結束ユニット３Ｂの場合、結束用集積部２１内に集積した第１特定金種及び第２特定金種の損券を特定金種毎に結束紙幣を作成して投出する処理である。
【０１１５】
図１２において制御部１７０は、紙幣搬送部１３及び分岐部１３Ａで搬送された搬送紙幣が第１特定金種であるか否かを判定する（ステップＳ３１）。制御部１７０内の搬送制御部１７２は、搬送紙幣が第１特定金種である場合に（ステップＳ３１肯定）、第１特定金種設定中の結束用集積部２１に搬送紙幣を集積する（ステップＳ３２）。尚、ステップＳ３１で判定する搬送紙幣は、第１結束ユニット３Ａの場合、第１特定金種又は第２特定金種の正券紙幣に相当する。これに対して、第２結束ユニット３Ｂの場合、ステップＳ３１で判定する搬送紙幣は、第１特定金種又は第２特定金種の損券紙幣に相当する。また、ステップＳ３２で集積する結束用集積部２１は、第１結束ユニット３Ａの場合、第１特定金種の正券設定中の結束用集積部２１に相当する。これに対して、第２結束ユニット３Ｂの場合、ステップＳ３２で集積する結束用集積部２１は、第１特定金種の損券設定中の結束用集積部２１に相当する。
【０１１６】
搬送制御部１７２は、第１特定金種設定中の結束用集積部２１の集積枚数が１００枚に到達したか否かを判定する（ステップＳ３３）。搬送制御部１７２は、第１特定金種設定中の結束用集積部２１の集積枚数が１００枚に到達した場合に（ステップＳ３３肯定）、これら１００枚の第１特定金種の紙幣を当該結束用集積部２１から結束前搬送部２５を通じて引き抜く（ステップＳ３４）。
【０１１７】
更に、制御部１７０内の設定制御部１７１は、第１特定金種設定中の結束用集積部２１から１００枚の第１特定金種の紙幣が引き抜かれると、予備の結束用集積部２１に第１特定金種を設定する（ステップＳ３５）。更に、設定制御部１７１は、紙幣が引き抜かれたことで集積可能となった第１特定金種設定中の結束用集積部２１に予備を設定する（ステップＳ３５）。尚、設定制御部１７１は、第１結束ユニット３Ａの場合、第１特定金種の正券設定中の結束用集積部２１から第１特定金種の正券紙幣が引き抜かれると、予備の結束用集積部２１に第１特定金種の正券を設定する。更に、設定制御部１７１は、正券紙幣が引き抜かれたことで集積可能となった第１特定金種の正券設定中の結束用集積部２１に予備を設定する。これに対して、第２結束ユニット３Ｂの場合、設定制御部１７１は、第１特定金種の損券設定中の結束用集積部２１から第１特定金種の損券紙幣が引き抜かれると、予備の結束用集積部２１に第１特定金種の損券を設定する。更に、設定制御部１７１は、損券紙幣が引き抜かれたことで集積可能となった第１特定金種の損券設定中の結束用集積部２１に予備を設定する。
【０１１８】
更に、結束制御部１７３は、引き抜かれた１００枚の第１特定金種の紙幣の結束位置に結束帯を巻回して第１特定金種の結束紙幣を作成した後（ステップＳ３６）、図１２に示す処理動作を終了する。その結果、オペレータは、第１特定金種の正券の結束紙幣を取得できる。尚、結束制御部１７３は、第１結束ユニット３Ａの場合、第１特定金種の正券紙幣の中央部分を結束位置とし、この結束位置に結束帯を巻回して中央巻きで第１特定金種の正券の結束紙幣を作成する。これに対して、第２結束ユニット３Ｂの場合、結束制御部１７３は、第１特定金種の損券紙幣の左端部を結束位置とし、この結束位置に結束帯を巻回して左端巻きで第１特定金種の損券の結束紙幣を作成する。
【０１１９】
また、搬送制御部１７２は、第１特定金種設定中の結束用集積部２１の集積枚数が１００枚に到達しなかった場合に（ステップＳ３３否定）、図１２に示す処理動作を終了する。
【０１２０】
また、搬送制御部１７２は、搬送紙幣が第１特定金種でない場合に（ステップＳ３１否定）、第２特定金種であると判断し、第２特定金種設定中の結束用集積部２１に搬送紙幣を集積する（ステップＳ３７）。尚、第２特定金種の搬送紙幣は、第１結束ユニット３Ａの場合、第２特定金種の正券紙幣に相当する。これに対して、第２結束ユニット３Ｂの場合、第２特定金種の搬送紙幣は、第２特定金種の損券紙幣に相当する。更に、ステップＳ３７で集積する結束用集積部２１は、第１結束ユニット３Ａの場合、第２特定金種の正券設定中の結束用集積部２１に相当する。これに対して、ステップＳ３７で集積する結束用集積部２１は、第２結束ユニット３Ｂの場合、第２特定金種の損券設定中の結束用集積部２１に相当する。
【０１２１】
搬送制御部１７２は、第２特定金種設定中の結束用集積部２１の集積枚数が１００枚に到達したか否かを判定する（ステップＳ３８）。搬送制御部１７２は、第２特定金種設定中の結束用集積部２１の集積枚数が１００枚に到達した場合に（ステップＳ３８肯定）、これら１００枚の第２特定金種の紙幣を当該結束用集積部２１から結束前搬送部２５を通じて引き抜く（ステップＳ３９）。
【０１２２】
更に、制御部１７０内の設定制御部１７１は、第２特定金種設定中の結束用集積部２１から１００枚の第２特定金種の紙幣が引き抜かれると、予備の結束用集積部２１に第２特定金種を設定する（ステップＳ４０）。更に、設定制御部１７１は、紙幣が引き抜かれたことで集積可能になった第２特定金種設定中の結束用集積部２１に予備を設定する（ステップＳ４０）。尚、設定制御部１７１は、第１結束ユニット３Ａの場合、第２特定金種の正券設定中の結束用集積部２１から第２特定金種の正券紙幣が引き抜かれると、予備の結束用集積部２１に第２特定金種の正券を設定する。更に、設定制御部１７１は、正券紙幣が引き抜かれたことで集積可能となった第２特定金種の正券設定中の結束用集積部２１に予備を設定する。これに対して、設定制御部１７１は、第２結束ユニット３Ｂの場合、第２特定金種の損券設定中の結束用集積部２１から第２特定金種の損券紙幣が引き抜かれると、予備の結束用集積部２１に第２特定金種の損券を設定する。更に、設定制御部１７１は、損券紙幣が引き抜かれたことで集積可能となった第２特定金種の損券設定中の結束用集積部２１に予備を設定する。
【０１２３】
更に、結束制御部１７３は、引き抜かれた１００枚の第２特定金種の紙幣の結束位置に結束帯を巻回して第２特定金種の結束紙幣を作成した後（ステップＳ４１）、図１２に示す処理動作を終了する。その結果、オペレータは、第２特定金種正券の結束紙幣を取得できる。尚、結束制御部１７３は、第１結束ユニット３Ａの場合、第２特定金種の正券紙幣の中央部分を結束位置とし、この結束位置に結束帯を巻回して中央巻きで第２特定金種の正券の結束紙幣を作成する。これに対して、結束制御部１７３は、第２結束ユニット３Ｂの場合、第２特定金種の損券紙幣の左端部を結束位置とし、この結束位置に結束帯を巻回して左端巻きで第２特定金種の損券の結束紙幣を作成する。
【０１２４】
また、搬送制御部１７２は、第２特定金種設定中の結束用集積部２１の集積枚数が１００枚に到達しなかった場合に（ステップＳ３８否定）、図１２に示す処理動作を終了する。
【０１２５】
図１２に示す第１結束用集積処理を実行する紙幣処理装置１では、第１結束ユニット３Ａ内の結束用集積部２１内に集積された第１特定金種の正券紙幣が１００枚に到達した場合に、第１特定金種の正券の結束紙幣を作成する。更に、第１結束用集積処理を実行する紙幣処理装置１では、第１結束ユニット３Ａ内の結束用集積部２１内に集積された第２特定金種の正券紙幣が１００枚に到達した場合に、第２特定金種の正券の結束紙幣を作成する。その結果、オペレータは、第１結束ユニット３Ａの束放出口２３から第１特定金種の正券の結束紙幣及び第２特定金種の正券の結束紙幣を収集できる。
【０１２６】
また、第１結束用集積処理を実行する紙幣処理装置１では、第２結束ユニット３Ｂ内の結束用集積部２１内に集積された第１特定金種の損券紙幣が１００枚に到達した場合に、第１特定金種の損券の結束紙幣を作成する。更に、第１結束用集積処理を実行する紙幣処理装置１では、第２結束ユニット３Ｂ内の結束用集積部２１内に集積された第２特定金種の損券紙幣が１００枚に到達した場合に、第２特定金種の損券の結束紙幣を作成する。その結果、オペレータは、第２結束ユニット３Ｂの束放出口２３から第１特定金種の損券の結束紙幣及び第２特定金種の損券の結束紙幣を収集できる。
【０１２７】
実施例１では、第１結束ユニット３Ａ内の結束用集積部２１の集積紙幣として第１特定金種及び第２特定金種の正券を設定すると共に、第２結束ユニット３Ｂ内の結束用集積部２１の集積紙幣として第１特定金種及び第２特定金種の損券を設定する。第１特定金種を５０ユーロ紙幣、第２特定金種を２０ユーロ紙幣とした場合には、ユーロ紙幣を紙幣種別毎に結束収集する際の全体として７０％程度の処理を自動化できる。その結果、オペレータは、５０ユーロ紙幣及び２０ユーロ紙幣の正券の結束紙幣及び損券の結束紙幣を収集する際の作業負担を大幅に軽減できる。
【０１２８】
更に、実施例１では、５０ユーロ紙幣及び２０ユーロ紙幣の正券の紙幣を第１結束ユニット３Ａ内の結束用集積部２１に集積すると共に、５０ユーロ紙幣及び２０ユーロ紙幣の損券の紙幣を第２結束ユニット３Ｂ内の結束用集積部２１に集積する。その結果、オペレータは、異なる結束ユニット３Ａ、３Ｂを通じて２０ユーロ紙幣及び５０ユーロ紙幣の正券の結束紙幣及び損券の結束紙幣を別個の束放出口２３から収集できるため、これら特定金種の正券の結束紙幣及び損券の結束紙幣を簡単に区別できる。
【０１２９】
更に、実施例１では、結束ユニット３Ａ（３Ｂ）内部に３個の結束用集積部２１を備え、３個の結束用集積部２１の内、２個の結束用集積部２１に２種類の特定金種の紙幣を集積する。その結果、実施例１では、１個の結束ユニット３Ａ（３Ｂ）で１種類の特定金種の正券及び損券の結束紙幣、２種類の特定金種の正券又は損券の結束紙幣、２種類の特定金種の正券及び損券の結束紙幣等の各種バリエーションで特定金種の正券及び損券の結束紙幣を収集できる。
【０１３０】
更に、実施例１では、正損カテゴリ毎に結束帯の結束位置を変更し、例えば、正券の場合は中央巻きに、損券の場合は左端巻きに特定金種の正券の紙幣及び損券の紙幣を区別可能に結束する。その結果、オペレータは、結束帯の結束位置で、特定金種の正券の結束紙幣及び損券の結束紙幣を区別できる。
【実施例２】
【０１３１】
次に、第１結束ユニット３Ａの集積紙幣として第１特定金種の正券及び損券を設定し、第２結束ユニット３Ｂの集積紙幣として第２特定金種の正券及び損券を設定するようにしても良く、この場合の実施例につき実施例２として説明する。図１３は、実施例２の第２特定金種分類処理に関わる制御部１７０内部の処理動作を示すフローチャートである。図１３に示す第２特定金種分類処理は、第１特定金種の正券及び損券の搬送紙幣を第１結束ユニット３Ａに分類し、第２特定金種の正券及び損券の搬送紙幣を第２結束ユニット３Ｂに分類する処理である。尚、制御部１７０内の設定制御部１７１は、図５（Ｂ）に示すように、第１特定金種の正券及び損券を第１結束ユニット３Ａの集積紙幣に設定すると共に、第２特定金種の正券及び損券を第２結束ユニット３Ｂの集積紙幣に設定する。設定制御部１７１は、例えば、ユーロ紙幣に適用した場合、第１特定金種として５０ユーロ紙幣、第２特定金種として２０ユーロ紙幣を設定するものとする。
【０１３２】
制御部１７０は、紙幣識別部１４を通じて搬送紙幣の紙幣種別を識別すると（ステップＳ５１）、その識別結果に基づき、搬送紙幣が第１特定金種であるか否かを判定する（ステップＳ５２）。
【０１３３】
制御部１７０は、搬送紙幣が第１特定金種である場合に（ステップＳ５２肯定）、識別結果に基づき、その搬送紙幣が正券であるか否かを判定する（ステップＳ５３）。制御部１７０内の搬送制御部１７２は、搬送紙幣が正券である場合に（ステップＳ５３肯定）、駆動制御部１５０を通じて紙幣搬送部１３及び分岐部１３Ａの駆動を制御する（ステップＳ５４）。その結果、紙幣搬送部１３及び分岐部１３Ａは、搬送紙幣である第１特定金種の正券を第１結束ユニット３Ａ内の結束用集積部２１へ搬送する（ステップＳ５４）。
【０１３４】
更に、制御部１７０は、第１特定金種の正券紙幣を第１結束ユニット３Ａへ搬送後、後述する図１４に示す第２結束用集積処理に移行した後（ステップＳ５５）、図１３に示す処理動作を終了する。
【０１３５】
また、搬送制御部１７２は、搬送紙幣が正券でない場合に（ステップＳ５３否定）、搬送紙幣が損券であると判断し、駆動制御部１５０を通じて紙幣搬送部１３及び分岐部１３Ａの駆動を制御する（ステップＳ５６）。その結果、紙幣搬送部１３及び分岐部１３Ａは、搬送紙幣である第１特定金種の損券紙幣を第１結束ユニット３Ａ内の結束用集積部２１へ搬送し（ステップＳ５６）、ステップＳ５５の第２結束用集積処理に移行する。
【０１３６】
また、制御部１７０は、搬送紙幣が第１特定金種でない場合に（ステップＳ５２否定）、識別結果に基づき、その搬送紙幣が第２特定金種であるか否かを判定する（ステップＳ５７）。制御部１７０は、搬送紙幣が第２特定金種である場合に（ステップＳ５７肯定）、その搬送紙幣が正券であるか否かを判定する（ステップＳ５８）。
【０１３７】
搬送制御部１７２は、搬送紙幣が正券である場合に（ステップＳ５８肯定）、駆動制御部１５０を通じて紙幣搬送部１３及び分岐部１３Ａの駆動を制御する（ステップＳ５９）。その結果、紙幣搬送部１３及び分岐部１３Ａは、搬送紙幣である第２特定金種の正券紙幣を第２結束ユニット３Ｂ内の結束用集積部２１へ搬送し（ステップＳ５９）、ステップＳ５５の第２結束用集積処理に移行する。
【０１３８】
また、搬送制御部１７２は、搬送紙幣が正券でない場合に（ステップＳ５８否定）、搬送紙幣が損券であると判断し、駆動制御部１５０を通じて紙幣搬送部１３及び分岐部１３Ａの駆動を制御する（ステップＳ６０）。その結果、紙幣搬送部１３及び分岐部１３Ａは、搬送紙幣である第２特定金種の損券紙幣を第２結束ユニット３Ｂ内の結束用集積部２１へ搬送し（ステップＳ６０）、ステップＳ５５の第２結束用集積処理に移行する。
【０１３９】
搬送制御部１７２は、搬送紙幣が第２特定金種でない場合に（ステップＳ５７否定）、搬送紙幣が第１特定金種及び第２特定金種以外の紙幣であると判断し、駆動制御部１５０を通じて紙幣搬送部１３及び分岐部１３Ａの駆動を制御する（ステップＳ６１）。その結果、紙幣搬送部１３及び分岐部１３Ａは、搬送紙幣である第１特定金種及び第２特定金種以外の紙幣に対応したスタッカ１６又は第１リジェクト部１７等に搬送紙幣を搬送し（ステップＳ６１）、図１３に示す処理動作を終了する。
【０１４０】
図１３に示す第２特定金種分類処理を実行する紙幣処理装置１では、搬送紙幣が第１特定金種の正券紙幣又は損券紙幣である場合に、これら第１特定金種の正券紙幣及び損券紙幣を第１結束ユニット３Ａ内に搬送する。その結果、第１結束ユニット３Ａでは、第１特定金種の正券に対応する結束用集積部２１内に第１特定金種の正券紙幣を集積すると共に、第１特定金種の損券に対応する結束用集積部２１内に第１特定金種の損券紙幣を集積する。
【０１４１】
図１３に示す第２特定金種分類処理を実行する紙幣処理装置１では、搬送紙幣が第２特定金種の正券紙幣又は損券紙幣である場合に、これら第２特定金種の正券紙幣及び損券紙幣を第２結束ユニット３Ｂ内に搬送する。その結果、第２結束ユニット３Ｂでは、第２特定金種の正券に対応する結束用集積部２１内に第２特定金種の正券紙幣を集積すると共に、第２特定金種の損券に対応する結束用集積部２１内に第２特定金種の損券紙幣を集積する。
【０１４２】
次に、図１３に示すステップＳ５５の第２結束用集積処理について説明する。図１４は、実施例２の第２結束用集積処理に関わる制御部１７０内部の処理動作を示すフローチャートである。図１４に示す第２結束用集積処理は、第１結束ユニット３Ａの場合、結束用集積部２１内に集積した第１特定金種の正券及び損券を正損カテゴリ毎に結束紙幣を作成して投出する処理である。また、第２結束用集積処理は、第２結束ユニット３Ｂの場合、結束用集積部２１内に集積した第２特定金種の正券及び損券を正損カテゴリ毎に結束紙幣を作成して投出する処理である。
【０１４３】
図１４において制御部１７０は、紙幣搬送部１３及び分岐部１３Ａで搬送された搬送紙幣が正券であるか否かを判定する（ステップＳ７１）。制御部１７０内の搬送制御部１７２は、搬送紙幣が正券である場合に（ステップＳ７１肯定）、正券設定中の結束用集積部２１に搬送紙幣を集積する（ステップＳ７２）。尚、ステップＳ７１で判定する搬送紙幣は、第１結束ユニット３Ａの場合、第１特定金種の正券紙幣又は損券紙幣に相当する。これに対して、第２結束ユニット３Ｂの場合、ステップＳ７１で判定する搬送紙幣は、第２特定金種の正券紙幣又は損券紙幣に相当する。また、ステップＳ７２で集積する結束用集積部２１は、第１結束ユニット３Ａの場合、第１特定金種の正券設定中の結束用集積部２１に相当する。これに対して、第２結束ユニット３Ｂの場合、ステップＳ７２で集積する結束用集積部２１は、第２特定金種の正券設定中の結束用集積部２１に相当する。
【０１４４】
搬送制御部１７２は、正券設定中の結束用集積部２１の集積枚数が１００枚に到達したか否かを判定する（ステップＳ７３）。搬送制御部１７２は、正券設定中の結束用集積部２１の集積枚数が１００枚に到達した場合に（ステップＳ７３肯定）、これら１００枚の正券紙幣を当該結束用集積部２１から結束前搬送部２５を通じて引き抜く（ステップＳ７４）。
【０１４５】
更に、制御部１７０内の設定制御部１７１は、正券設定中の結束用集積部２１から１００枚の正券紙幣が引き抜かれると、予備の結束用集積部２１に正券を設定する（ステップＳ７５）。更に、設定制御部１７１は、紙幣が引き抜かれたことで集積可能となった正券設定中の結束用集積部２１に予備を設定する（ステップＳ７５）。尚、設定制御部１７１は、第１結束ユニット３Ａの場合、第１特定金種の正券設定中の結束用集積部２１から第１特定金種の正券紙幣が引き抜かれると、予備の結束用集積部２１に第１特定金種の正券を設定する。更に、設定制御部１７１は、第１特定金種の正券紙幣が引き抜かれたことで集積可能となった第１特定金種の正券設定中の結束用集積部２１に予備を設定する。これに対して、第２結束ユニット３Ｂの場合、設定制御部１７１は、第２特定金種の正券設定中の結束用集積部２１から第２特定金種の正券紙幣が引き抜かれると、予備の結束用集積部２１に第３特定金種の正券を設定する。更に、設定制御部１７１は、正券紙幣が引き抜かれたことで集積可能となった第２特定金種の正券設定中の結束用集積部２１に予備を設定する。
【０１４６】
更に、結束制御部１７３は、引き抜かれた１００枚の第１特定金種の正券の紙幣の中央の結束位置に結束帯を巻回して第１特定金種の正券の結束紙幣を作成した後（ステップＳ７６）、図１４に示す処理動作を終了する。その結果、オペレータは、第１特定金種正券の結束紙幣を取得できる。尚、結束制御部１７３は、第１結束ユニット３Ａの場合、第１特定金種の正券紙幣の中央部分を結束位置とし、この結束位置に結束帯を巻回して中央巻きで第１特定金種の正券の結束紙幣を作成する。これに対して、第２結束ユニット３Ｂの場合、結束制御部１７３は、第２特定金種の正券紙幣の中央部分を結束位置とし、この結束位置に結束帯を巻回して中央巻きで第２特定金種の正券の結束紙幣を作成する。
【０１４７】
また、搬送制御部１７２は、正券設定中の結束用集積部２１の集積枚数が１００枚に到達しなかった場合に（ステップＳ７３否定）、図１４に示す処理動作を終了する。
【０１４８】
また、搬送制御部１７２は、搬送紙幣が正券でない場合に（ステップＳ７１否定）、搬送紙幣が損券であると判断し、損券設定中の結束用集積部２１に搬送紙幣を集積する（ステップＳ７７）。尚、搬送紙幣は、第１結束ユニット３Ａの場合、第１特定金種の損券紙幣に相当する。これに対して、第２結束ユニット３Ｂの場合、搬送紙幣は、第２特定金種の損券紙幣に相当する。更に、ステップＳ７７で集積する結束用集積部２１は、第１結束ユニット３Ａの場合、第１特定金種の損券設定中の結束用集積部２１に相当する。これに対して、第２結束ユニット３Ｂの場合、ステップＳ７７で集積する結束用集積部２１は、第２特定金種の損券設定中の結束用集積部２１に相当する。
【０１４９】
搬送制御部１７２は、損券設定中の結束用集積部２１の集積枚数が１００枚に到達したか否かを判定する（ステップＳ７８）。搬送制御部１７２は、損券設定中の結束用集積部２１の集積枚数が１００枚に到達した場合に（ステップＳ７８肯定）、これら１００枚の損券紙幣を当該結束用集積部２１から結束前搬送部２５を通じて引き抜く（ステップＳ７９）。
【０１５０】
更に、制御部１７０内の設定制御部１７１は、損券設定中の結束用集積部２１から１００枚の損券紙幣が引き抜かれると、予備の結束用集積部２１に損券を設定する（ステップＳ８０）。更に、設定制御部１７１は、紙幣が引き抜かれたことで集積可能になった損券設定中の結束用集積部２１に予備を設定する（ステップＳ８０）。尚、設定制御部１７１は、第１結束ユニット３Ａの場合、第１特定金種の損券設定中の結束用集積部２１から第１特定金種の損券紙幣が引き抜かれると、予備の結束用集積部２１に第１特定金種の損券を設定する。更に、設定制御部１７１は、損券紙幣が引き抜かれたことで集積可能となった第１特定金種の損券設定中の結束用集積部２１に予備を設定する。これに対して、第２結束ユニット３Ｂの場合、設定制御部１７１は、第２特定金種の損券設定中の結束用集積部２１から第２特定金種の損券紙幣が引き抜かれると、予備の結束用集積部２１に第２特定金種の損券を設定する。更に、設定制御部１７１は、損券紙幣が引き抜かれたことで集積可能となった第２特定金種の損券設定中の結束用集積部２１に予備を設定する。
【０１５１】
更に、結束制御部１７３は、引き抜かれた１００枚の損券紙幣の左端部の結束位置に結束帯を巻回して損券の結束紙幣を作成した後（ステップＳ８１）、図１４に示す処理動作を終了する。その結果、オペレータは、損券の結束紙幣を取得できる。尚、結束制御部１７３は、第１結束ユニット３Ａの場合、第１特定金種の損券紙幣の左端部を結束位置とし、この結束位置に結束帯を巻回して左端巻きで第１特定金種の損券の結束紙幣を作成する。これに対して、第２結束ユニット３Ｂの場合、結束制御部１７３は、第２特定金種の損券紙幣の左端部を結束位置とし、この結束位置に結束帯を巻回して左端巻きで第２特定金種の損券の結束紙幣を作成する。
【０１５２】
また、搬送制御部１７２は、損券設定中の結束用集積部２１の集積枚数が１００枚に到達しなかった場合に（ステップＳ７８否定）、図１４に示す処理動作を終了する。
【０１５３】
図１４に示す第２結束用集積処理を実行する紙幣処理装置１では、第１結束ユニット３Ａ内の結束用集積部２１内に集積された第１特定金種の正券紙幣が１００枚に到達した場合に、第１特定金種の正券の結束紙幣を作成する。更に、第２結束用集積処理を実行する紙幣処理装置１では、第１結束ユニット３Ａ内の結束用集積部２１内に集積された第１特定金種の損券紙幣が１００枚に到達した場合に、第１特定金種の正券の結束紙幣を作成する。その結果、オペレータは、第１結束ユニット３Ａの束放出口２３から第１特定金種の正券の結束紙幣及び損券の結束紙幣を収集できる。
【０１５４】
また、第２結束用集積処理を実行する紙幣処理装置１では、第２結束ユニット３Ｂ内の結束用集積部２１内に集積された第２特定金種の正券紙幣が１００枚に到達した場合に、第２特定金種の正券の結束紙幣を作成する。更に、第２結束用集積処理を実行する紙幣処理装置１では、第２結束ユニット３Ｂ内の結束用集積部２１内に集積された第２特定金種の損券紙幣が１００枚に到達した場合に、第２特定金種の損券の結束紙幣を作成する。その結果、オペレータは、第２結束ユニット３Ｂの束放出口２３から第２特定金種の正券の結束紙幣及び損券の結束紙幣を収集できる。
【０１５５】
実施例２では、第１結束ユニット３Ａ内の結束用集積部２１の集積紙幣として第１特定金種の正券及び損券を設定すると共に、第２結束ユニット３Ｂ内の結束用集積部２１の集積紙幣として第２特定金種の正券及び損券を設定する。第１特定金種を５０ユーロ紙幣、第２特定金種を２０ユーロ紙幣とした場合には、ユーロ紙幣を紙幣種別毎に結束収集する際の全体として７０％程度の処理を自動化できる。その結果、オペレータは、５０ユーロ紙幣及び２０ユーロ紙幣の正券の結束紙幣及び損券の結束紙幣を収集する際の作業負担を大幅に軽減できる。
【０１５６】
更に、実施例２では、結束ユニット３Ａ（３Ｂ）が複数の結束用集積部２１を３個備え、３個の結束用集積部２１の内、２個の結束用集積部２１に２種類の特定金種の紙幣を集積する。その結果、実施例２では、２種類の特定金種の結束紙幣を連続的に収集できるという効果を奏する。
【０１５７】
尚、上記実施例２では、第１特定金種を５０ユーロ紙幣、第２特定金種を２０ユーロ紙幣とし、第１結束ユニット３Ａ内の結束用集積部２１に５０ユーロ紙幣の正券及び損券を設定する。更に、実施例２では、第２結束ユニット３Ｂ内の結束用集積部２１に２０ユーロ紙幣の正券及び損券を設定する。しかしながら、実施例２では、同一結束ユニット３Ａ（３Ｂ）毎に同一特定金種の正券及び損券を設定可能にしたので、特定金種毎に結束帯の色を変えて結束することを規定する米ドル紙幣の運用にも有用である。この場合、紙幣処理装置１では、第１特定金種に２０米ドル紙幣、第２特定金種に１０米ドル紙幣とし、第１結束ユニット３Ａ内の結束用集積部２１に２０米ドル紙幣の正券及び損券を設定する。そして、第１結束ユニット３Ａ内の結束部２２では、図５（Ｃ）に示すように、オレンジ色の結束帯で２０米ドル紙幣の正券及び損券を結束する。更に、紙幣処理装置１では、第２結束ユニット３Ｂ内の結束用集積部２１に１０米ドル紙幣の正券及び損券を設定する。そして、第２結束ユニット３Ｂ内の結束部２２では、青色の結束帯で１０米ドル紙幣の正券及び損券を結束する。その結果、オペレータは、米国ドル紙幣の運用にも十分対応できる。
【０１５８】
また、上記実施例１及び２では、正券の紙幣を中央巻きの結束紙幣、更に損券の紙幣を左端巻きの結束紙幣で投出するようにしたが、把持搬送部２７を通じて結束対象紙幣の結束位置を調整することで、その結束帯を巻く結束位置は適宜変更可能である。
【０１５９】
また、上記実施例１及び２では、結束位置を変えることで、同一束放出口２３に投出する正券及び損券の結束紙幣を区別可能にしたが、例えば、結束位置を変えず、結束帯に異なる内容を印字部５６で印字することで、正券及び損券を区別可能にしても良い。
【０１６０】
また、上記実施例１及び２では、正券及び損券を区別可能にするために、例えば、正券の場合は一箇所巻きにし、損券の場合には二箇所巻きで正券及び損券を区別可能にするようにしても良い。
【０１６１】
また、上記実施例１及び２では、紙幣結束ユニット３内に結束用集積部２１を３段配置するようにしたが、３段に限定するものではなく、複数段配置するようにしても良い。更に、上記実施例１及び２では、紙幣結束ユニット３を第１結束ユニット３Ａ及び第２結束ユニット３Ｂの２段接続するようにしたが、２段に限定するものではなく、複数増設配置するようにしても良い。この場合、紙幣処理装置１では、第１結束ユニット３Ａ内の結束用集積部２１に５０ユーロ紙幣、第２結束ユニット３Ｂ内の結束用集積部２１に２０ユーロ紙幣、第３結束ユニット内の結束用集積部２１に１０ユーロ紙幣を設定する。その結果、紙幣処理装置１では、これら３種類の紙幣の正券及び損券の結束紙幣収集作業を自動化することで、ユーロ紙幣に関わる大半の紙幣処理業務を実現できるため、オペレータ側の作業負担を大幅に軽減できる。
【０１６２】
また、本実施例では、結束対象紙幣を結束帯で結束する紙幣結束ユニット３を例に挙げて説明したが、商品券や有価証券等の紙葉類を結束帯で結束する場合にも、同様の効果が得られる。
【０１６３】
尚、本実施例で説明した各種処理の内、自動的に行われるものとして説明した処理の全部又は一部を手動で行うことも可能であることは勿論のこと、その逆に、手動で行われるものとして説明した処理の全部又は一部を自動で行うことも可能である。また、本実施例で説明した処理手順、制御手順、具体的名称、各種データやパラメータを含む情報についても、特記した場合を除き、適宜変更可能である。
【０１６４】
また、図示した各装置の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。例えば、駆動制御部１５０と寸法調整駆動制御部１６０とを一つの部として統合するようにしても良い。
【産業上の利用可能性】
【０１６５】
本発明の紙幣処理装置、紙幣分類方法及び紙幣分類別プログラムでは、複数の特定金種の正券の結束紙幣及び損券の結束紙幣を収集する際の作業負担を大幅に改善できるため、例えば、金融機関等で使用する紙幣処理装置に有用である。
【符号の説明】
【０１６６】
１  紙幣処理装置
１２  繰出部
１３  紙幣搬送部
１３Ａ  分岐部
１４  紙幣識別部
１６  スタッカ
２１  結束用集積部
２２  結束部
２３  束放出口
１５０  駆動制御部
１７０  制御部
１７２  搬送制御部
１７３  結束制御部
【図１】
2011113152.tif 000003
【図２】
2011113152.tif 000004
【図３】
2011113152.tif 000005
【図４】
2011113152.tif 000006
【図５】
2011113152.tif 000007
【図６】
2011113152.tif 000008
【図７】
2011113152.tif 000009
【図８】
2011113152.tif 000010
【図９】
2011113152.tif 000011
【図１０】
2011113152.tif 000012
【図１１】
2011113152.tif 000013
【図１２】
2011113152.tif 000014
【図１３】
2011113152.tif 000015
【図１４】
2011113152.tif 000016